(57)【特許請求の範囲】
【請求項１】
基材上に第１の印刷層、第２の印刷層及び第３の印刷層を有し、前記第１の印刷層は、前記基材と異なる色の色材により少なくとも一つの図柄で構成された第１の画像から成り、前記第２の印刷層は、高光沢な透明材料で形成された印刷層から成り、前記第３の印刷層は、低光沢な透明材料により少なくとも一つの図柄で構成された第２の画像から成り、前記第１の画像を構成する図柄と前記第２の画像を構成する図柄の少なくとも一つが同一の図柄で形成され、前記第２の印刷層は、前記第１の印刷層の全体を覆うように形成され、前記同一の図柄で形成された第２の画像を構成する図柄の少なくとも一つが前記第２の印刷層に積層され、前記第２の印刷層に積層された前記第２の画像を構成する図柄は、対応する同一の図柄で形成された前記第１の画像を構成する図柄の中心を基準として、中心が１〜６５ｍｍの距離をずらして形成され、一方の目が正反射条件による画像を視認し、他方の目が拡散反射条件による画像を視認する観察条件で観察すると、前記第１の画像と前記第２の画像により立体画像が視認できることを特徴とする立体画像形成体。
【請求項２】
基材上に第１の印刷層、第２の印刷層及び第３の印刷層を有し、前記第１の印刷層は、前記基材と異なる色の色材により少なくとも一つの図柄で構成された第１の画像から成り、前記第２の印刷層は、高光沢な透明材料で形成された印刷層から成り、前記第３の印刷層は、低光沢な透明材料により少なくとも一つの図柄で構成された第２の画像から成り、前記第１の画像を構成する図柄と前記第２の画像を構成する図柄のうち少なくとも一つが略同一の図柄で形成され、前記第２の印刷層は、前記第１の印刷層の全体を覆うように形成され、前記略同一の図柄で形成された第２の画像を構成する図柄の少なくとも一つが前記第２の印刷層に積層され、前記第２の印刷層に積層された前記第２の画像を構成する図柄は、対応する略同一の図柄で形成された前記第１の画像を構成する図柄の中心を基準として、中心を合わせて形成されるか、又は１〜６５ｍｍの距離をずらして形成され、一方の目が正反射条件による画像を視認し、他方の目が拡散反射条件による画像を視認する観察条件で観察すると、前記第１の画像と前記第２の画像により立体画像が視認できることを特徴とする立体画像形成体。
【請求項３】
基材上に第１の印刷層、第２の印刷層及び第３の印刷層を有し、前記第１の印刷層は、前記基材と異なる色の色材により少なくとも一つの図柄で構成された第１の画像と第１の背景から成り、前記第１の画像と前記第１の背景は異なる面積率で形成されて成り、前記第２の印刷層は、高光沢な透明材料で形成された印刷層から成り、前記第３の印刷層は、低光沢な透明材料により少なくとも一つの図柄で構成された第２の画像から成り、前記第１の画像を構成する図柄と前記第２の画像を構成する図柄のうち少なくとも一つが同一の図柄で形成され、前記第２の印刷層は、前記第１の印刷層の全体を覆うように形成され、前記同一の図柄で形成された第２の画像を構成する図柄の少なくとも一つが前記第２の印刷層に積層され、前記第２の印刷層に積層された前記第２の画像を構成する図柄は、対応する同一の図柄で形成された前記第１の画像を構成する図柄の中心を基準として、中心が１〜６５ｍｍの距離をずらして形成され、一方の目が正反射条件による画像を視認し、他方の目が拡散反射条件による画像を視認する観察条件で観察すると、前記第１の画像と前記第２の画像により立体画像が視認できることを特徴とする立体画像形成体。
【請求項４】
基材上に第１の印刷層、第２の印刷層及び第３の印刷層を有し、前記第１の印刷層は、前記基材と異なる色の色材により少なくとも一つの図柄で構成された第１の画像と第１の背景から成り、前記第１の画像と前記第１の背景は、異なる面積率で形成されて成り、前記第２の印刷層は、高光沢な透明材料で形成された印刷層から成り、前記第３の印刷層は、低光沢な透明材料により少なくとも一つの図柄で構成された第２の画像から成り、前記第１の画像を構成する図柄と前記第２の画像を構成する図柄のうち少なくとも一つが略同一の図柄で形成され、前記第２の印刷層は、前記第１の印刷層の全体を覆うように形成され、前記略同一の図柄で形成された第２の画像を構成する図柄の少なくとも一つが前記第２の印刷層に積層され、前記第２の印刷層に積層された前記第２の画像を構成する図柄は、対応する略同一の図柄で形成された前記第１の画像を構成する図柄の中心を基準として、中心を合わせて形成されるか、又は１〜６５ｍｍの距離をずらして形成され、一方の目が正反射条件による画像を視認し、他方の目が拡散反射条件による画像を視認する観察条件で観察すると、前記第１の画像と前記第２の画像により立体画像が視認できることを特徴とする立体画像形成体。  
【請求項５】
基材上に第１の印刷層、第２の印刷層及び第３の印刷層を有し、前記第１の印刷層は、前記基材と異なる色の色材により少なくとも一つの図柄で構成された第１の画像と第１の背景から成り、前記第１の画像と前記第１の背景は、異なる面積率で形成されて成り、前記第２の印刷層は、高光沢な透明材料で形成された印刷層から成り、前記第３の印刷層は、低光沢な透明材料により少なくとも一つの図柄で構成された第２の画像と第２の背景から成り、前記第２の画像と前記第２の背景は、異なる面積率で形成されて成り、前記第１の画像を構成する図柄と前記第２の画像を構成する図柄のうち少なくとも一つが同一の図柄で形成され、前記第２の印刷層は、前記第１の印刷層の全体を覆うように形成され、前記同一の図柄で形成された第２の画像を構成する図柄の少なくとも一つが前記第２の印刷層に積層され、前記第２の印刷層に積層された前記第２の画像を構成する図柄は、対応する同一の図柄で形成された前記第１の画像を構成する図柄の中心を基準として、中心が１〜６５ｍｍの距離をずらして形成され、一方の目が正反射条件による画像を視認し、他方の目が拡散反射条件による画像を視認する観察条件で観察すると、前記第１の画像と前記第２の画像により立体画像が視認できることを特徴とする立体画像形成体。
【請求項６】
基材上に第１の印刷層、第２の印刷層及び第３の印刷層を有し、前記第１の印刷層は、前記基材と異なる色の色材により少なくとも一つの図柄で構成された第１の画像と第１の背景から成り、前記第１の画像と前記第１の背景は、異なる面積率で形成されて成り、前記第２の印刷層は、高光沢な透明材料で形成された印刷層から成り、前記第３の印刷層は、低光沢な透明材料により少なくとも一つの図柄で構成された第２の画像と第２の背景から成り、前記第２の画像と前記第２の背景は、異なる面積率で形成されて成り、前記第１の画像を構成する図柄と前記第２の画像を構成する図柄のうち少なくとも一つが略同一の図柄で形成され、前記第２の印刷層は、前記第１の印刷層の全体を覆うように形成され、前記第１の画像を構成する図柄と前記第２の画像を構成する図柄のうち少なくとも一つが略同一の図柄で形成され、前記第２の印刷層は、前記第１の印刷層の全体を覆うように形成され、前記略同一の図柄で形成された第２の画像を構成する図柄の少なくとも一つが前記第２の印刷層に積層され、前記第２の印刷層に積層された前記第２の画像を構成する図柄は、対応する略同一の図柄で形成された前記第１の画像を構成する図柄の中心を基準として、中心を合わせて形成又は１〜６５ｍｍの距離をずらして形成され、一方の目が正反射条件による画像を視認し、他方の目が拡散反射条件による画像を視認する観察条件で観察すると、前記第１の画像と前記第２の画像により立体画像が視認できることを特徴とする立体画像形成体。
【請求項７】
前記第１の画像及び前記第１の背景は、Ｋインキによって１０〜１００％の範囲の面積率で形成され、前記第１の画像と前記第１の背景の面積率の差が１５〜４０％であることを特徴とする請求項３〜６のいずれか１項に記載の立体画像形成体。
【請求項８】
前記第１の画像及び前記第１の背景は、Ｃ、Ｍ、Ｙ、Ｋのインキの少なくとも一つから成るインキ又はＣ、Ｍ、Ｙのインキの少なくとも一つのインキとＫインキから成るインキによって１０〜１００％の範囲の面積率で形成され、前記第１の画像と前記第１の背景の面積率の差が１５〜６０％であることを特徴とする請求項３〜６のいずれか１項に記載の立体画像形成体。
【請求項９】
前記第１の画像及び前記第１の背景は、光輝性インキによって１０〜１００％の範囲の面積率で形成され、前記第１の画像と前記第１の背景の面積率の差が１５〜７０％であることを特徴とする請求項３〜６のいずれか１項に記載の立体画像形成体。
【請求項１０】
前記第２の画像は、５０〜１００％の範囲の面積率で形成されていることを特徴とする請求項３〜９のいずれか１項に記載の立体画像形成体。
【請求項１１】
前記第１の画像及び前記第１の背景は、Ｋインキによって１０〜１００％の範囲の面積率で形成され、前記第１の画像と前記第１の背景の面積率の差が１５〜４０％の範囲で形成され、前記第２の画像又は前記第２の背景のどちらか一方の面積率は、５０〜１００％の範囲で形成され、他方の面積率は、１〜５０％の範囲で形成され、前記第２の画像と前記第２の背景の面積率の差が５０％以上であることを特徴とする請求項５又は６記載の立体画像形成体。
【請求項１２】
前記第１の画像及び前記第１の背景は、Ｃ、Ｍ、Ｙ、Ｋのインキの少なくとも一つから成るインキ又はＣ、Ｍ、Ｙのインキの少なくとも一つのインキとＫインキから成るインキによって１０〜１００％の範囲の面積率で形成され、前記第１の画像と前記第１の背景の面積率の差が１５〜６０％の範囲で形成され、前記第２の画像又は前記第２の背景のどちらか一方の面積率は、５０〜１００％の範囲で形成され、他方の面積率は、１〜５０％の範囲で形成され、前記第２の画像と前記第２の背景の面積率の差が５０％以上であることを特徴とする請求項５又は６記載の立体画像形成体。
【請求項１３】
前記第１の画像及び前記第１の背景は、光輝性インキによって１０〜１００％の範囲の面積率で形成され、前記第１の画像と前記第１の背景の面積率の差が１５〜７０％の範囲で形成され、前記第２の画像又は前記第２の背景のどちらか一方の面積率は、５０〜１００％の範囲で形成され、他方の面積率は１〜５０％の範囲で形成され、前記第２の画像と前記第２の背景の面積率の差が５０％以上であることを特徴とする請求項５又は６記載の立体画像形成体。
【請求項１４】
前記第１の画像及び／又は前記第２の画像は階調画像であることを特徴とする請求項１〜６のいずれか１項記載の立体画像形成体。
【請求項１５】
前記第１の画像が階調画像であり、前記第１の画像は、Ｋインキによって１０〜１００％の範囲の面積率で形成され、前記第１の画像の最も明るい画像と前記第１の画像の最も暗い画像の面積率の差が４０％以下で形成されていることを特徴とする請求項１又は２記載の立体画像形成体。
【請求項１６】
前記第１の画像が階調画像であり、前記第１の画像は、Ｋインキによって１０〜１００％の範囲の面積率で形成され、前記第１の画像の最も明るい画像と前記第１の画像の最も暗い画像の面積率の差が４０％以下で形成され、前記第１の背景は、前記第１の画像の最も明るい画像の面積率の４０％以内の面積率であり、かつ、前記第１の画像の最も暗い画像の面積率の４０％以内の面積率の範囲で形成されていることを特徴とする請求項３〜６のいずれか１項に記載の立体画像形成体。
【請求項１７】
前記第１の画像が階調画像であり、前記第１の画像は、Ｃ、Ｍ、Ｙのインキの少なくとも一つから成るインキ又はＣ、Ｍ、Ｙのインキの少なくとも一つのインキとＫインキから成るインキによって１０〜１００％の範囲の面積率で形成され、前記第１の画像の最も明るい画像と前記第１の画像の最も暗い画像の面積率の差が６０％以下で形成されていることを特徴とする請求項１又は２記載の立体画像形成体。
【請求項１８】
前記第１の画像が階調画像であり、前記第１の画像は、Ｃ、Ｍ、Ｙのインキの少なくとも一つから成るインキ又はＣ、Ｍ、Ｙのインキの少なくとも一つのインキとＫインキから成るインキによって１０〜１００％の範囲の面積率で形成され、前記第１の画像の最も明るい画像と前記第１の画像の最も暗い画像の面積率の差が６０％以下で形成され、前記第１の背景は、前記第１の画像の最も明るい画像の面積率の６０％以内の面積率であり、かつ、前記第１の画像の最も暗い画像の面積率の６０％以内の面積率の範囲で形成されていることを特徴とする請求項３〜６のいずれか１項に記載の立体画像形成体。
【請求項１９】
前記第１の画像が階調画像であり、前記第１の画像は、光輝性インキによって１０〜１００％の範囲の面積率で形成され、前記第１の画像の最も明るい画像と第１の画像の最も暗い画像の面積率の差が７０％以下で形成されていることを特徴とする請求項１又は２記載の立体画像形成体。
【請求項２０】
前記第１の画像が階調画像であり、前記第１の画像は、光輝性インキによって１０〜１００％の範囲の面積率で形成され、前記第１の画像の最も明るい画像と第１の画像の最も暗い画像の面積率の差が７０％以下で形成され、前記第１の背景は、前記第１の画像の最も明るい画像の面積率の７０％以内の面積率であり、かつ、前記第１の画像の最も暗い画像の面積率の７０％以内の面積率の範囲で形成されていることを特徴とする請求項３〜６のいずれか１項に記載の立体画像形成体。
【請求項２１】
前記第２の画像が階調画像であり、前記第２の画像の面積率は、５０〜１００％の範囲の面積率で形成されていることを特徴とする請求項１４〜２０のいずれか１項に記載の立体画像形成体。
【請求項２２】
前記第１の画像及び前記第２の画像を構成する図柄は、文字、数字、記号、図形又は模様であることを特徴とする請求項１〜２１のいずれか１項に記載の立体画像形成体。
【請求項２３】
前記基材と異なる色の色材は、Ｃ、Ｍ、Ｙ、Ｋのインキの少なくとも一つから成るインキ又はアルミニウム粉、銅粉、亜鉛粉、錫粉、真鍮粉又はリン化鉄の少なくとも一つを含む光輝性インキであることを特徴とする請求項１〜２１のいずれか１項に記載の立体画像形成体。
【請求項２４】
前記高光沢な透明材料は、グロスニス又はＯＰニスであることを特徴とする請求項１〜２２のいずれか１項に記載の立体画像形成体。
【請求項２５】
前記低光沢な透明材料は透明ニス、インキワニス、透明インキ又はメジウムインキであることを特徴とする請求項１〜２３のいずれか１項に記載の立体画像形成体。
【発明の詳細な説明】
【技術分野】
【０００１】
本発明は、拡散反射条件で観察した場合には第１の画像が視認され、正反射条件で観察した場合には第２の画像が視認され、光源に対して特定の角度と位置で観察した場合には両眼視差によって第１の画像と第２の画像が結像した立体画像が視認される画像形成体に関するものである。
【背景技術】
【０００２】
文字、図形等の図象が、立体的に浮き上がって見える立体表現印刷物は、通常の平面的な印刷物に比べて、よりリアルな表現が可能であり、意匠性の高い印刷物であるとともに複製が極めて困難であることから偽造防止効果にも優れている。このような印刷物としては、立体視を使って観察されるものがある。
【０００３】
立体視とは、人間の両目が右目と左目で左右に約６０〜７０ｍｍ離れていることで生じる両眼視差を利用するものであり、平面に固定されている画像であっても、右目と左目でわずかに異なった画像を絶縁してそれぞれの目に見せることで、観察者に錯覚が起こり、平面の画像の中に奥行き感を生じさせる。そして、観察者が認識する画像は、本来、平面の画像の中には存在しない立体画像となる。仮に、右目で見る画像を画像１、左目で見る画像を画像２とすると、立体画像形成体の中には、画像１と画像２しか存在していないにもかかわらず、立体視を行う観察者には、三番目の画像ともいうべき立体画像が認識される。
【０００４】
立体画像は、平面に固定されている画像が奥行き感を生じさせるというユニークさから、その効果を見て楽しむものとして古くから商業印刷ベースで発展してきた。また、これ以外に、国土地理院のホームページ掲載の立体視サービスのように、地図を余色立体法（アナグリフ方式）によって表現し、色眼鏡を用いて立体視することで地図上の高低を判断したり、わずかにカメラ位置を変えて撮影したレントゲン写真を左右に並べ、ステレオグラム方式で立体視することで患部をより詳しく診断する等、平面的な画像に立体効果を付与できる手法としても広く用いられている。
【０００５】
公知の代表的な立体視可能な画像形成体は、古典的な技術としてステレオグラム又はアナグリフに始まり、ポラライザー（偏光）方式を用いて形成されるもの、パララックスバリア又はレンチキュラーレンズを重ね合わせるものや、比較的新しい技術としては、ホログラムを用いて形成されるもの等が存在する。
【０００６】
ステレオグラムの最も単純な形態は、撮影角度の異なる画像を左右に並べて裸眼の状態で観察者に平行視や交差視を駆使させて画像を融合させるものである。派生型としては、特定の装置によって光路誘導を行い、左目用と右目用の画像を絶縁表示することで、立体視をより容易にしたステレオビューアー又はステレオスコープ等が存在する。また、ステレオグラムの中には、立体視を容易に起こさせるために、シートに立体視可能な左右一対のステレオパターンと、シートの後方の見通しが可能な窓で形成される視差補正用マークを備えたステレオグラム表示体がある（例えば、特許文献１参照）。
【０００７】
アナグリフ方式は、余色立体法又はカラーフィルタ法とも呼ばれ、一枚の画像中に、主に青色画線で表現された青画像と赤色画像で表現された赤画像を重ね合わせて構成し、左右の目にそれぞれ青色フィルタと赤色フィルタを配置し、赤色フィルタが青色画像を、青色フィルタが赤色画像を透過させる現象を利用して、左右の目で一枚の画像中の青色情報と赤色情報を絶縁して認識させて立体視を行うものである。また、このアナグリフ方式を応用した技術として、基材上に第１の領域と第２の領域が複数配置されて濃度階調を有する可視画像が形成され、前記第２の領域は、前記第１の領域内に毛抜き合わせで配置されて潜像画像を形成し、前記第１の領域によって前記濃度階調を有する可視画像から前記潜像画像を構成するための前記第２の領域を除いた画像が形成され、前記第１の領域は第１の印刷インキで、前記第２の領域は第２の印刷インキで印刷され、前記第１の印刷インキと前記第２の印刷インキの分光反射率は可視領域内の第１の波長の範囲では近似し、可視領域内の第２の波長の範囲では異なる値であるメタメリックペアインキで印刷され、前記濃度階調を有する可視画像は左目用画像又は右目用画像のいずれか一方として視認され、前記潜像画像は前記左目用画像又は前記右目用画像の他方として視認されることを特徴とする印刷物がある（例えば、特許文献２参照）。
【０００８】
ポラライザーは、色後退の発生するアナグリフ方式に代わって、主にスクリーン投影型で広く用いられる形態で、スクリーン上の画像の配置構成はアナグリフと同様であるものの、色成分を青や赤に分離する必要がなく、立体画像にアナグリフと比較して鮮明なカラー情報を付与できる特徴がある。主に二台のプロジェクタの前に直交させた偏光フィルタを配置して同一面上に投影し、偏光フィルタを左右直交させて配置した眼鏡で画像を観察することで立体視を行う。
【０００９】
パララックスバリア方式又はレンチキュラー方式は、右目用画像と左目画像を定ピッチで分断した上で合成し、一定の透明層又は空間を設けたバリア層又は蒲鉾型レンズを積層して作製する。バリア層や蒲鉾型レンズ層は、画像分断ピッチと同一ピッチで構成し、バリア開口部や蒲鉾型レンズを通過する視線角度が両眼で異なる分離現象を利用するもので、同じ裸眼立体視可能なステレオグラムと比較して、平行視や交差視の訓練を必要とせず、容易に立体画像が結像する特徴がある。その中には、合成樹脂版を含む透明な媒体を印刷媒体とし、その一方の面に、縦の平行線のパララックスバリアを施し、他方の面に、左右の立体情報を施し、印刷媒体の伸縮による見当不良を解消した立体画像印刷物がある（例えば、特許文献３参照）。
【００１０】
ホログラムは、２光束のレーザ光を拡散させて用いる。レーザ光の一つを拡散させて被写体に当てることで発生する反射光（いわゆる、物体光）と、もう一方のレーザ光（いわゆる、参照光）も拡散させて記録材に当て、物体光と参照光が干渉してできる干渉縞を記録材に焼き付けるもので、現像処理して作製する。ホログラムにおいては、物体から反射されて伝播してくる光と全く同じ性質を持った光が生じるため、前述の技術と異なり、眼の視覚機能と完全に整合した、矛盾のない３次元画像が得られる特徴がある。
【００１１】
上記の技術のうち、裸眼立体視可能な画像形成体は、色眼鏡を必要とするアナグリフ方式と偏光フィルタを必要とするポラライザー方式を除いたものであり、すなわち、ステレオグラムやパララックスバリア形成体、レンチキュラー形成体、ホログラム等である。
【００１２】
【特許文献１】特許第３０１８８９８号公報
【特許文献２】特願２００６−２５６９５６号公報
【特許文献３】特許第３００５６５９号公報
【発明の開示】
【発明が解決しようとする課題】
【００１３】
立体視可能な画像は極めてユニークであり、単に見ていて楽しいだけではなく、平面視では取り出せない多くの情報を観察者に提供することが可能である。しかし、この立体視可能な画像は、現在のところ、雑誌の付録や特殊なカード類等、かなり限定した用途でしか一般的に用いられていない。
【００１４】
この一因としては、ニーズ自体が現時点では低いと考えられていることはもちろんであるが、立体画像の結像に特殊な判別具を要するものであったり、結像を認識できるまでに多少の訓練を必要とし、基材を含めて厚さや材料等の制約が大きく、立体画像形成体自体の技術的な問題や画像形成のためのコストの問題等、様々な要因が存在している。
【００１５】
前述した公知の立体画像の具体的な問題を以下に記す。ステレオグラム方式は、単純な構成である場合には、観察者が立体画像の結像を認識できるまでに平行視又は交差視を余儀なくされる。観察者は、結像を認識できるまでに、個人差はあるものの、多少の訓練を必要とすることから、結像認識できる前に立体視をあきらめてしまう者も少なくない。また、特許文献１に記載の視差補正用マークを備えたステレオグラム表示体においても、立体視するまでに時間を要するという問題がある。また、画像も右目用と左目用が別々の画像として異なった位置に二つ配置されていることから、二つの画面が必要であるとともに、見栄えがよいものではない。光路誘導を行い左目用と右目用画像を絶縁表示するステレオビューアーやステレオスコープの形態を利用する場合には、観察者の負担は軽減するものの、光路誘導の装置は、若干かさばる場合が多い。
【００１６】
また、アナグリフ方式は、同一画面上に右目画像と左目画像が配されており、立体画像の結像自体は、ステレオグラムと比較して極めて容易なものの、特殊な眼鏡が必要となり、簡便性に欠ける。このことは、特許文献２記載の印刷物についても同様の問題がある。また、その画像自体も青画像と赤画像が入り組んで配置されており、眼鏡を持たないユーザが観察した場合、立体視することができないだけでなく、赤画像と青画像が入り組んで構成されている画像自体も裸眼による鑑賞に堪え得るものではない。
【００１７】
また、パララックスバリア方式又はレンチキュラー方式を用いた立体画像形成体は、上記の問題をクリアしており、観察者は、訓練を必要とせず、裸眼で立体視を楽しむことができる。最近では、小さな玩具カードやマウスパッド等でレンチキュラー方式の立体画像形成体を見ることがある。ただし、レンチキュラー又はパララックスバリアに準じる形態では、画像形成体自体に一定の透明な空間が必要となる。これらの空間は１００μm以上を必要とすることが多く、この透明な空間の厚みが不十分であると、パララックスバリアにおいては視線分離現象を機能させることが困難となり、レンチキュラーでは、蒲鉾レンズによるレンズ効果と視線分離現象を機能させることが困難になる。一般的な商業印刷で許される紙厚は、５０〜２５０μｍ程度であることから、そのままの形態で適用することは困難であり、結果として、これらは多くの場合、一定の厚みが許されるカード等の形態で用いられるにとどまっている。また、ベース基材としては、単一のフィルムの形態又はフィルムを紙に貼り付けて用いられる場合が多く、紙と異なる材料又は紙との複合形態で形成されることから、印刷や基材の貼り合わせ等の工程において、単一な印刷と比較して製造者側の負荷が大きくなってしまい、割高となる。
【００１８】
また、ホログラムでは、極めて高精度で自然な裸眼立体視を実現している。ただし、その製造工程は複雑であり、金型は高価であって、大量生産しない限り、コスト的にマイナスとなる場合が多いことに加え、単純な印刷方式と比較して製造時間がかかるという問題がある。また、多くの場合、その外観は、独特のメタリック調となってしまう。
【００１９】
以上のように、ステレオグラムは、安価であるものの、画像としての見栄えが悪く、結像を認識するのに訓練が必要であり、アナグリフに関しては、安価で結像を認識するのが容易であるものの、画像としての見栄えが悪く、眼鏡が必要であるという問題があった。パララックスバリア又はレンチキュラー系の技術は、裸眼立体視を容易に実現できるものの、画像形成体自体に一定の厚みが必要であり、製造工程が複雑になるという問題があった。ホログラムについては、裸眼立体視を容易に実現できるものの、工程又は加工方法が極めて複雑であって、高価であるという問題があった。立体視可能な画像は、それぞれに一長一短が存在し、すべての問題を解決しているものは存在しなかった。
【００２０】
本発明は、前述した課題の解決を目的とするものであり、単純なオフセット印刷のみであっても形成でき、画像形成体自体に厚みを必要とせず、一般的な印刷用紙を基材としても形成可能であって、通常視認できる画像は、アナグリフのような違和感がなく、かつ、訓練の必要もなく、両眼視差を用いた立体画像を裸眼で結像させる立体画像形成体を提供するものである。
【課題を解決するための手段】
【００２１】
本発明の立体画像形成体は、基材上に第１の印刷層、第２の印刷層及び第３の印刷層を有し、第１の印刷層は、基材と異なる色の色材により少なくとも一つの図柄で構成された第１の画像から成り、第２の印刷層は、高光沢な透明材料で形成された印刷層から成り、第３の印刷層は、低光沢な透明材料により少なくとも一つの図柄で構成された第２の画像から成り、第１の画像を構成する図柄と第２の画像を構成する図柄の少なくとも一つが同一の図柄で形成され、第２の印刷層は、第１の印刷層の全体を覆うように形成され、同一の図柄で形成された第２の画像を構成する図柄の少なくとも一つが第２の印刷層に積層され、第２の印刷層に積層された第２の画像を構成する図柄は、対応する同一の図柄で形成された第１の画像を構成する図柄の中心を基準として、中心が１〜６５ｍｍの距離をずらして形成され、一方の目が正反射条件による画像を視認し、他方の目が拡散反射条件による画像を視認する観察条件で観察すると、第１の画像と第２の画像により立体画像が視認できることを特徴とする。
【００２２】
また、本発明の立体画像形成体は、基材上に第１の印刷層、第２の印刷層及び第３の印刷層を有し、第１の印刷層は、基材と異なる色の色材により少なくとも一つの図柄で構成された第１の画像から成り、第２の印刷層は、高光沢な透明材料で形成された印刷層から成り、第３の印刷層は、低光沢な透明材料により少なくとも一つの図柄で構成された第２の画像から成り、第１の画像を構成する図柄と第２の画像を構成する図柄のうち少なくとも一つが略同一の図柄で形成され、第２の印刷層は、第１の印刷層の全体を覆うように形成され、略同一の図柄で形成された第２の画像を構成する図柄の少なくとも一つが第２の印刷層に積層され、第２の印刷層に積層された第２の画像を構成する図柄は、対応する略同一の図柄で形成された第１の画像を構成する図柄の中心を基準として、中心を合わせて形成又は１〜６５ｍｍの距離をずらして形成され、一方の目が正反射条件による画像を視認し、他方の目が拡散反射条件による画像を視認する観察条件で観察すると、第１の画像と第２の画像により立体画像が視認できることを特徴とする。
【００２３】
また、本発明の立体画像形成体は、基材上に第１の印刷層、第２の印刷層及び第３の印刷層を有し、第１の印刷層は、基材と異なる色の色材により少なくとも一つの図柄で構成された第１の画像と第１の背景から成り、第１の画像と第１の背景は異なる面積率で形成されて成り、第２の印刷層は、高光沢な透明材料で形成された印刷層から成り、第３の印刷層は、低光沢な透明材料により少なくとも一つの図柄で構成された第２の画像から成り、第１の画像を構成する図柄と第２の画像を構成する図柄のうち少なくとも一つが同一の図柄で形成され、第２の印刷層は、第１の印刷層の全体を覆うように形成され、同一の図柄で形成された第２の画像を構成する図柄の少なくとも一つが第２の印刷層に積層され、第２の印刷層に積層された第２の画像を構成する図柄は、対応する同一の図柄で形成された第１の画像を構成する図柄の中心を基準として、中心が１〜６５ｍｍの距離をずらして形成され、一方の目が正反射条件による画像を視認し、他方の目が拡散反射条件による画像を視認する観察条件で観察すると、第１の画像と第２の画像により立体画像が視認できることを特徴とする。
【００２４】
また、本発明の立体画像形成体は、基材上に第１の印刷層、第２の印刷層及び第３の印刷層を有し、第１の印刷層は、基材と異なる色の色材により少なくとも一つの図柄で構成された第１の画像と第１の背景から成り、第１の画像と第１の背景は異なる面積率で形成されて成り、第２の印刷層は、高光沢な透明材料で形成された印刷層から成り、第３の印刷層は、低光沢な透明材料により少なくとも一つの図柄で構成された第２の画像から成り、第１の画像を構成する図柄と第２の画像を構成する図柄のうち少なくとも一つが略同一の図柄で形成され、第２の印刷層は、第１の印刷層の全体を覆うように形成され、略同一の図柄で形成された第２の画像を構成する図柄の少なくとも一つが第２の印刷層に積層され、第２の印刷層に積層された第２の画像を構成する図柄は、対応する略同一の図柄で形成された第１の画像を構成する図柄の中心を基準として、中心を合わせて形成又は１〜６５ｍｍの距離をずらして形成され、一方の目が正反射条件による画像を視認し、他方の目が拡散反射条件による画像を視認する観察条件で観察すると、第１の画像と第２の画像により立体画像が視認できることを特徴とする。
【００２５】
また、本発明の立体画像形成体は、基材上に第１の印刷層、第２の印刷層及び第３の印刷層を有し、第１の印刷層は、基材と異なる色の色材により少なくとも一つの図柄で構成された第１の画像と第１の背景から成り、第１の画像と第１の背景は異なる面積率で形成されて成り、第２の印刷層は、高光沢な透明材料で形成された印刷層から成り、第３の印刷層は、低光沢な透明材料により少なくとも一つの図柄で構成された第２の画像と第２の背景から成り、第２の画像と第２の背景は、異なる面積率で形成されて成り、第１の画像を構成する図柄と第２の画像を構成する図柄のうち少なくとも一つが同一の図柄で形成され、第２の印刷層は、第１の印刷層の全体を覆うように形成され、同一の図柄で形成された第２の画像を構成する図柄の少なくとも一つが第２の印刷層に積層され、第２の印刷層に積層された第２の画像を構成する図柄は、対応する同一の図柄で形成された第１の画像を構成する図柄の中心を基準として、中心が１〜６５ｍｍの距離をずらして形成され、一方の目が正反射条件による画像を視認し、他方の目が拡散反射条件による画像を視認する観察条件で観察すると、第１の画像と第２の画像により立体画像が視認できることを特徴とする。
【００２６】
また、本発明の立体画像形成体は、基材上に第１の印刷層、第２の印刷層及び第３の印刷層を有し、第１の印刷層は、基材と異なる色の色材により少なくとも一つの図柄で構成された第１の画像と第１の背景から成り、第１の画像と第１の背景は異なる面積率で形成されて成り、第２の印刷層は、高光沢な透明材料で形成された印刷層から成り、第３の印刷層は、低光沢な透明材料により少なくとも一つの図柄で構成された第２の画像と第２の背景から成り、第２の画像と第２の背景は、異なる面積率で形成されて成り、第１の画像を構成する図柄と第２の画像を構成する図柄のうち少なくとも一つが略同一の図柄で形成され、第２の印刷層は、第１の印刷層の全体を覆うように形成され、第１の画像を構成する図柄と第２の画像を構成する図柄のうち少なくとも一つが略同一の図柄で形成され、第２の印刷層は第１の印刷層の全体を覆うように形成され、略同一の図柄で形成された第２の画像を構成する図柄の少なくとも一つが第２の印刷層に積層され、第２の印刷層に積層された第２の画像を構成する図柄は、対応する略同一の図柄で形成された第１の画像を構成する図柄の中心を基準として、中心を合わせて形成されるか、又は１〜６５ｍｍの距離をずらして形成され、一方の目が正反射条件による画像を視認し、他方の目が拡散反射条件による画像を視認する観察条件で観察すると、第１の画像と第２の画像により立体画像が視認できることを特徴とする。
【００２７】
また、本発明の立体画像形成体の第１の画像及び第１の背景は、Ｋインキによって１０〜１００％の範囲の面積率で形成され、第１の画像と第１の背景の面積率の差が１５〜４０％であることを特徴とする。
【００２８】
また、本発明の立体画像形成体の第１の画像及び第１の背景は、Ｃ、Ｍ、Ｙ、Ｋのインキの少なくとも一つから成るインキ又はＣ、Ｍ、Ｙのインキの少なくとも一つのインキとＫインキから成るインキによって１０〜１００％の範囲の面積率で形成され、第１の画像と第１の背景の面積率の差が１５〜６０％であることを特徴とする。
【００２９】
また、本発明の立体画像形成体の第１の画像及び第１の背景は、光輝性インキによって１０〜１００％の範囲の面積率で形成され、第１の画像と第１の背景の面積率の差が１５〜７０％であることを特徴とする。
【００３０】
また、本発明の立体画像形成体の第２の画像は、５０〜１００％の範囲の面積率で形成されていることを特徴とする。
【００３１】
また、本発明の立体画像形成体の第１の画像及び第１の背景は、Ｋインキによって１０〜１００％の範囲の面積率で形成され、第１の画像と第１の背景の面積率の差が１５〜４０％の範囲で形成され、第２の画像又は第２の背景のどちらか一方の面積率は、５０〜１００％の範囲で形成され、他方の面積率は１〜５０％の範囲で形成され、第２の画像と第２の背景の面積率の差が５０％以上であることを特徴とする。
【００３２】
また、本発明の立体画像形成体の第１の画像及び第１の背景は、Ｃ、Ｍ、Ｙ、Ｋのインキの少なくとも一つから成るインキ又はＣ、Ｍ、Ｙのインキの少なくとも一つのインキとＫインキから成るインキによって１０〜１００％の範囲の面積率で形成され、第１の画像と第１の背景の面積率の差が１５〜６０％の範囲で形成され、第２の画像又は第２の背景のどちらか一方の面積率は、５０〜１００％の範囲で形成され、他方の面積率は、１〜５０％の範囲で形成され、第２の画像と第２の背景の面積率の差が５０％以上であることを特徴とする。
【００３３】
また、本発明の立体画像形成体の第１の画像及び第１の背景は、光輝性インキによって１０〜１００％の範囲の面積率で形成され、第１の画像と第１の背景の面積率の差が１５〜７０％の範囲で形成され、第２の画像又は第２の背景のどちらか一方の面積率は、５０〜１００％の範囲で形成され、他方の面積率は、１〜５０％の範囲で形成され、第２の画像と第２の背景の面積率の差が５０％以上であることを特徴とする。
【００３４】
また、本発明の立体画像形成体の第１の画像及び／又は第２の画像は、階調画像であることを特徴とする
【００３５】
また、本発明の立体画像形成体は、第１の画像が階調画像であり、第１の画像は、Ｋインキによって１０〜１００％の範囲の面積率で形成され、第１の画像の最も明るい画像と第１の画像の最も暗い画像の面積率の差が４０％以下で形成されていることを特徴とする。
【００３６】
また、本発明の立体画像形成体は、第１の画像が階調画像であり、第１の画像は、Ｋインキによって１０〜１００％の範囲の面積率で形成され、第１の画像の最も明るい画像と第１の画像の最も暗い画像の面積率の差が４０％以下で形成され、第１の背景は、第１の画像の最も明るい画像の面積率の４０％以内の面積率であり、かつ、第１の画像の最も暗い画像の面積率の４０％以内の面積率の範囲で形成されていることを特徴とする。
【００３７】
また、本発明の立体画像形成体は、第１の画像が階調画像であり、第１の画像は、Ｃ、Ｍ、Ｙのインキの少なくとも一つから成るインキ又はＣ、Ｍ、Ｙのインキの少なくとも一つのインキとＫインキから成るインキによって１０〜１００％の範囲の面積率で形成され、第１の画像の最も明るい画像と第１の画像の最も暗い画像の面積率の差が６０％以下で形成されていることを特徴とする。
【００３８】
また、本発明の立体画像形成体は、第１の画像が階調画像であり、第１の画像は、ＣＭＹインキの少なくとも一つから成るインキ又はＣＭＹインキの少なくとも一つのインキとＫインキから成るインキによって１０〜１００％の範囲の面積率で形成され、第１の画像の最も明るい画像と第１の画像の最も暗い画像の面積率の差が６０％以下で形成され、第１の背景は、第１の画像の最も明るい画像の面積率の６０％以内の面積率であり、かつ、第１の画像の最も暗い画像の面積率の６０％以内の面積率の範囲で形成されていることを特徴とする。
【００３９】
また、本発明の立体画像形成体は、第１の画像が階調画像であり、第１の画像は、光輝性インキによって１０〜１００％の範囲の面積率で形成され、第１の画像の最も明るい画像と第１の画像の最も暗い画像の面積率の差が７０％以下で形成されていることを特徴とする。
【００４０】
また、本発明の立体画像形成体は、第１の画像が階調画像であり、第１の画像は、光輝性インキによって１０〜１００％の範囲の面積率で形成され、第１の画像の最も明るい画像と第１の画像の最も暗い画像の面積率の差が７０％以下で形成され、第１の背景は、第１の画像の最も明るい画像の面積率の７０％以内の面積率であり、かつ、第１の画像の最も暗い画像の面積率の７０％以内の面積率の範囲で形成されていることを特徴とする。
【００４１】
また、本発明の立体画像形成体は、第２の画像が階調画像であり、第２の画像の面積率は、５０〜１００％の範囲の面積率で形成されていることを特徴とする。
【００４２】
また、本発明の立体画像形成体の第１の画像及び第２の画像を構成する図柄は、文字、数字、記号、図形又は模様であることを特徴とする。
【００４３】
また、本発明の立体画像形成体で用いる基材と異なる色の色材は、Ｃ、Ｍ、Ｙ、Ｋのインキの少なくとも一つから成るインキ又はアルミニウム粉、銅粉、亜鉛粉、錫粉、真鍮粉又はリン化鉄の少なくとも一つを含む光輝性インキであることを特徴とする。
【００４４】
また、本発明の立体画像形成体で用いる高光沢な透明材料は、グロスニス又はＯＰニスであることを特徴とする。
【００４５】
また、本発明の立体画像形成体で用いる低光沢な透明材料は、透明ニス、インキワニス、透明インキ又はメジウムインキであることを特徴とする。
【発明の効果】
【００４６】
本発明の立体画像形成体は、従来のアナグリフのように眼鏡を用いることなく、また、ステレオグラムのように結像を認識する訓練を必要としないで、容易に立体画像を見ることができる。
【００４７】
また、本発明の立体画像形成体は、従来のステレオグラムのように別々の画面上に右目用画像と左目用画像を形成する必要がないため、ステレオグラムに比べて、狭い画面に立体画像を形成することができる。
【００４８】
さらに、本発明の立体画像形成体は、単純なオフセット印刷のみで立体画像形成体が形成できるので、パララックスバリア及びレンチキュラーを形成する工程を必要とせず、また、ホログラムのように複雑な加工を必要としないため、製造コストにおいても優れている。
【発明を実施するための最良の形態】
【００４９】
本発明を実施するための最良の形態を図面を参照して説明する。しかしながら、本発明は、以下に述べる実施するための最良の形態に限定されるものではなく、特許請求の範囲記載における技術的思想の範囲内であれば、その他のいろいろな実施の形態が含まれる。
【００５０】
（実施の形態１）
立体画像形成体の一つの実施の形態について図１〜４を用いて説明する。また、立体画像形成体が立体視して視認される原理について図５〜１３を用いて説明する。実際の立体画像形成体の表面の反射は、正反射光と拡散反射光が組み合わされているが、本明細書では、拡散反射光の割合が強くなり、第１の画像が視認される観察条件を「拡散反射条件」と記す。このときに視認される画像を「拡散反射条件による画像」と記す。また、正反射光の割合が強くなり、第２の画像が視認される観察条件を「正反射条件」と記す。このときに視認される画像を「正反射条件による画像」と記す。
【００５１】
また、本明細書において、「高光沢な透明材料」とは、光沢度（６０°光沢度  株式会社村上色彩技術研究所＿デジタル光沢計ＧＭ−３Ｄ）が５０以上である透明材料のことであり、「低光沢な透明材料」とは、光沢度（６０°光沢度  株式会社村上色彩技術研究所＿デジタル光沢計ＧＭ−３Ｄ）が１０以下である透明材料のことである。しかしながら、光沢度の測定は、基材の影響を受けるため前述の値に限定できない。したがって、本明細書において「高光沢な透明材料」とは、前述の光沢度を参考とし、基材と異なる色の色材によって形成される第１の印刷層の上に形成されたとき、拡散反射条件による観察では、第１の画像の視認に影響しないが、正反射条件による観察では、反射光が強くなり第１の画像が視認できなくなるような光沢を有する透明材料のことである。また、本明細書において「低光沢な透明材料」とは、前述の光沢度を参考とし、基材と異なる色の色材によって形成される第１の印刷層と高光沢な透明材料で形成される第２の印刷層の上に形成されたとき、拡散反射条件による観察では、第１の画像の視認に影響しないが、正反射条件による観察では、周囲に対して反射光量が低くなり第２の画像が視認できるような光沢を有する透明材料のことである。
【００５２】
図１（ａ）は、立体画像形成体（１）の第１の画像（３ａ）と第１の背景（３ｂ）から成る第１の印刷層（３）を示す図である。図１（ｂ）は、図１（ａ）とは異なる立体画像形成体（１）の第１の画像（３ａ）と第１の背景（３ｂ）から成る第１の印刷層（３）を示す図である。図２は、立体画像形成体（１）の第１の印刷層（３）の上に形成される第２の印刷層（５）を示す図である。図３は、立体画像形成体（１）の第２の画像（７ａ）から成る第３の印刷層（７）を示す図である。図４は、立体画像形成体（１）を示す図である。図５（ａ）は、立体画像形成体（１）を観察したときの照明光源（９）、視点（１０）及び立体画像形成体（１）の三つの位置関係を示したものである。図５（ｂ）は、立体画像形成体（１）を観察するときの方向をＸ−Ｘ’軸とＹ−Ｙ’軸を用いて示した図である。図６は、拡散反射条件による観察状態と拡散反射条件で視認される画像を示す図である。図７は、正反射条件による観察状態と正反射条件で視認される画像を示す図である。図８は、拡散反射条件となる場合の色差ΔＥを示す図である。図９は、正反射光条件となる場合の色差ΔＥを示す図である。図１０は、正反射条件となる場合で、低光沢な透明材料の面積率の差による色差ΔＥを示す図である。図１１は、正反射条件となる場合で、ＣＭＹインキと高光沢な透明材料と低光沢な透明材料の刷り重ねの構成による色差ΔＥを示す図である。図１２（ａ）は、立体視が行われる観察条件における照明光源（９）、視点（１０）及び立体画像形成体（１）の位置関係を示す図である。図１２（ｂ）は、立体視して観察される画像を示す図である。図１３（ａ）は、図１２（ａ）とは別の観察条件で立体視が行われる場合の照明光源（９）と視点（１０）と立体画像形成体（１）の位置関係を示す図である。図１３（ｂ）は、図１３（ａ）の観察条件で立体視して観察される画像を示す図である。
【００５３】
本実施の形態の立体画像形成体（１）は、基材（２）に第１の画像（３ａ）と第１の背景（３ｂ）から成る第１の印刷層（３）が、基材と異なる色のインキで、第１の画像（３ａ）と第１の背景（３ｂ）の面積率を異ならせて形成され、その上に第２の印刷層（５）が高光沢な透明インキによって形成され、さらに、その上に第２の画像（７ａ）から成る第３の印刷層（７）が低光沢な透明インキによって形成されている。本実施の形態の立体画像形成体（１）において、拡散反射条件による観察では、異なる面積率で形成された第１の画像（３ａ）と第１の背景（３ｂ）が視認される。また、正反射条件による観察では、第２の印刷層（５）による反射光量が大きくなり、第１の画像（３ａ）と第１の背景（３ｂ）が視認できなくなる中で、その上に形成された第２の画像（７ａ）が視認される。そして、一方の目が正反射条件による画像を視認し、他方の目が拡散反射条件による画像を視認する観察条件で観察すると、第１の画像（３ａ）と第２の画像（７ａ）により立体画像が視認できる。
【００５４】
（第１の印刷層：第１の画像及び第１の背景の構成）
図１（ａ）に示す第１の画像（３ａ）及び第１の背景（３ｂ）は、基材（２）に、基材（２）と異なる色のインキによって形成されている。なお、第１の画像（３ａ）と第１の背景（３ｂ）は、異なる濃度、すなわち、異なる面積率の網点で形成され、第１の画像（３ａ）と第１の背景（３ｂ）のそれぞれは、単一の濃度で形成されている。第１の画像（３ａ）を構成する図柄は、複数設けてもよいが、本実施の形態において第１の画像（３ａ）を構成する図柄は、２０ｍｍの大きさの図柄、具体的には、中抜きの円型が一つ形成されている。ここで「面積率」とは、前述した印刷工程で印刷される一定面積の印刷領域において、下地を隠蔽し得る印刷層の面積を「％」で示しており、網点で下地を隠し得る場合は、正確には「網点面積率」となるが、便宜上、「網点面積率」は、「面積率」として説明することとする。
【００５５】
（印刷材料）
第１の画像（３ａ）と第１の背景（３ｂ）で構成される第１の印刷層（３）に用いられる材料としては、一般的に販売されているオフセットインキであるＣ、Ｍ、Ｙ、Ｋのインキの少なくとも一つから成るインキを用いたり、アルミニウム粉、銅粉、亜鉛粉、錫粉、真鍮粉若しくはリン化鉄又はそれらの材料が被覆された光輝性材料を含むインキでもよい。これらのインキは、紫外線硬化型インキ、酸化重合型インキ、浸透型インキ、加熱乾燥インキ、蒸発乾燥インキ等のいずれの乾燥方式の印刷インキであってもよい。
【００５６】
（面積率）
第１の画像（３ａ）と第１の背景（３ｂ）の面積率は、０〜１００％、好ましくは１０〜１００％の範囲で、第１の画像（３ａ）と第１の背景（３ｂ）の面積率の差を１５％以上設けて形成される。第１の画像（３ａ）と第１の背景（３ｂ）の面積率の差が１５％以上で形成されることによって、拡散反射条件による観察で第１の画像（３ａ）の視認性が良好となる。また、本発明では、第１の画像（３ａ）と第１の背景（３ｂ）の上に形成された第２の印刷層（５）によって、正反射条件による観察で第１の画像（３ａ）の上に形成された第２の印刷層（５）と第１の背景（３ｂ）の上に形成された第２の印刷層（５）の反射光量が共に大きくなり、第１の画像（３ａ）と第１の背景（３ｂ）が視認できなくなるが、そのためには、第１の画像（３ａ）と第１の背景（３ｂ）の面積率の差を適切に設定する必要がある。この具体的な面積率の差については、第１の画像（３ａ）に用いる印刷材料の反射濃度や光学特性や表面特性、基材及び観察条件等の影響を考慮する必要がある。第１の画像（３ａ）及び第１の背景（３ｂ）が、ブラックインキ（本明細書においてブラックインキを「Ｋインキ」という。）の単色で形成される場合は、第１の画像（３ａ）と第１の背景（３ｂ）の面積率の差が１５〜４０％で形成されるのが好ましい。仮に、第１の画像（３ａ）と第１の背景（３ｂ）の面積率の差を４０％より大きくして形成すると、正反射条件による観察では第１の画像（３ａ）が視認されてしまう場合がある。
【００５７】
第１の画像（３ａ）及び第１の背景（３ｂ）が、シアンインキ（本明細書においてシアンインキを「Ｃインキ」という。）、マゼンタインキ（本明細書においてマゼンタインキを「Ｍインキ」という。）、イエローインキ（本明細書においてイエローインキを「Ｙインキ」という。）の少なくとも一つから成るインキ及びＣ、Ｍ、Ｙのインキの少なくとも一つから成るインキとＫインキの混色で形成される場合は、第１の画像（３ａ）と第１の背景（３ｂ）の面積率の差が１５〜６０％で形成されるのが好ましい。第１の画像（３ａ）及び第１の背景（３ｂ）がＫインキ単色で形成される場合とＣ、Ｍ、Ｙのインキの少なくとも一つから成るインキ及びＣ、Ｍ、Ｙのインキの少なくとも一つから成るインキとＫインキの混色で形成される場合において、第１の画像（３ａ）と第１の背景（３ｂ）を形成する面積率に差があるのは、以下の理由からである。Ｃ、Ｍ、Ｙのインキの少なくとも一つから成るインキ及びＣ、Ｍ、Ｙのインキの少なくとも一つから成るインキとＫインキの混色で形成される第１の画像（３ａ）は、Ｋインキ単色で形成される第１の画像（３ａ）より着色力が弱く、すなわち、視認性が弱いため、第１の画像（３ａ）と第１の背景（３ｂ）の面積率の差をＫインキ単色で形成される場合より大きくしても、正反射条件による観察で第１の画像（３ａ）が視認されないためである。
【００５８】
第１の画像（３ａ）及び第１の背景（３ｂ）が光輝性材料を含み、基材と異なる色を有するインキで形成される場合は、第１の画像（３ａ）と第１の背景（３ｂ）の面積率の差が１５〜７０％で形成されるのが好ましい。第１の画像（３ａ）及び第１の背景（３ｂ）が光輝性材料を含み、基材と異なる色を有するインキで形成される場合は、高い立体効果を得ることができる。この理由は、光輝性材料を含むインキは、正反射条件による観察で反射光が増加する効果を有しており、正反射条件による観察で、第１の画像（３ａ）の消失効果がＣ、Ｍ、Ｙ、Ｋのインキの少なくとも一つから成るインキ及びＣ、Ｍ、Ｙのインキの少なくとも一つから成るインキとＫインキの混色で形成される場合より高いためである。結果的に、第１の画像（３ａ）及び第１の背景（３ｂ）が光輝性材料を含み、基材と異なる色を有するインキで形成される場合は、第１の画像（３ａ）と第１の背景（３ｂ）の面積率の差を１５〜７０％程度まで広げることができる。
【００５９】
本実施の形態の立体画像形成体（１）は、第１の画像（３ａ）と第１の背景（３ｂ）が、異なる面積率の網点で形成され、第１の画像（３ａ）と第１の背景（３ｂ）のそれぞれは、単一の濃度で形成される場合であるが、第１の画像と第１の背景のそれぞれが複数の階調を有し、第１の画像と第１の背景のそれぞれの面積率を連続的に変えて形成してもよい。以降、複数の階調を有する画像を「階調画像」と記す。例えば、図１（ｂ）に示すように、中抜きの円形で階調が連続的に変化する図柄を第１の画像（３ａ）とし、第１の画像（３ａ）がＫインキ単色で形成される場合、図１（ｂ）中の破線の円で囲む第１の画像の最も明るい画像（Ｈ）と最も暗い画像（Ｌ）の面積率の差を４０％以下とし、面積率０〜１００％、好ましくは、面積率１０〜１００％の範囲で第１の画像を形成する。このとき、第１の背景（３ｂ）は、Ｋインキを単色で用いて第１の画像（３ａ）の最も明るい画像の面積率に対して４０％以内であり、かつ、第１の画像（３ａ）の最も暗い画像に対して４０％以内の範囲の面積率で形成すればよく、好ましくは、単一の面積率で形成する。
【００６０】
また、第１の画像が階調画像であり、第１の画像がＣ、Ｍ、Ｙのインキの少なくとも一つから成るインキ又はＣ、Ｍ、Ｙのインキの少なくとも一つから成るインキとＫインキの混色で形成される場合、第１の画像の最も明るい画像と最も暗い画像の面積率の差を６０％以下とし、第１の画像の面積率を０〜１００％、好ましくは、面積率１０〜１００％の範囲で形成する。このとき、第１の背景は、第１の画像を形成するインキと同じインキを用いて第１の画像の最も明るい画像の面積率に対して６０％以内であり、かつ、第１の画像の最も暗い画像に対して６０％以内の範囲の面積率で形成すればよく、好ましくは、単一の面積率で形成する。
【００６１】
さらに、第１の画像が階調画像であり、第１の画像が光輝性材料を含み、基材と異なる色を有するインキで形成される場合、第１の画像の最も明るい画像と最も暗い画像の面積率の差を７０％以下とし、第１の画像の面積率を０〜１００％、好ましくは、面積率１０〜１００％の範囲で形成する。このとき、第１の背景は、第１の画像を形成するインキと同じインキを用いて第１の画像の最も明るい画像の面積率に対して７０％以内であり、かつ、第１の画像の最も暗い画像に対して７０％以内の範囲の面積率で形成すればよく、好ましくは、単一の面積率で形成する。
【００６２】
本実施の形態では、第１の背景（３ｂ）が単一濃度の網点で形成されて成るが、第１の背景（３ｂ）が画線部と非画線部から成る万線で形成されてもよい。この理由は、第１の背景（３ｂ）として画線と非画線が等ピッチで連続して形成されても、立体画像形成体から視点を離して拡散反射条件で観察する際、一定の濃度の背景として視認され、結果的に第１の画像（３ａ）が視認されるからである。また、正反射条件で観察する際、第１の背景（３ｂ）を構成する画線部の上に高光沢な透明材料による第２の印刷層（５）が形成され、更にその上に低光沢な透明材料が形成された部分は、第１の背景（３ｂ）を単一濃度の網点で形成した場合と同様に、第２の画像（７ａ）として視認されるからである。
【００６３】
（第２の印刷層）
図２に示す第２の印刷層（５）は、基材（２）に形成された第１の画像（３ａ）及び第１の背景（３ｂ）の全体を覆うように、高光沢な透明材料を用いて形成される。
【００６４】
（印刷材料）
第２の印刷層（５）に用いられる材料としては、グロスニス又はＯＰニスを用いることができる。これらのインキは、紫外線硬化型インキ、酸化重合型インキ、浸透型インキ、加熱乾燥インキ、蒸発乾燥インキ等のいずれの乾燥方式の印刷インキであってもよい。
【００６５】
（第３の印刷層：第２の画像の構成）
図３に示す第２の画像（７ａ）は、第２の印刷層（５）の上に、低光沢な透明材料を用いて形成される。なお、第２の画像（７ａ）は、単一の濃度、すなわち、単一の面積率の網点で形成されて成る。第２の画像（７ａ）を構成する図柄は複数設けてもよいが、本実施の形態において、第２の画像（７ａ）を構成する図柄は、第１の画像（３ａ）を構成する図柄と同一の図柄である中抜きの円型で形成されて成る。また、本実施の形態では、第３の印刷層（７）に第２の画像（７ａ）のみが形成されているが、第１の印刷層（３）に対して第２の画像（７ａ）を除く領域を第２の背景として形成することも可能である。また、第２の画像（７ａ）を構成する図柄を第１の画像（３ａ）を構成する図柄と略同一の図柄で形成することも可能である。本明細書において、「略同一の図柄」とは、立体物や三次元の風景に対して、カメラの撮影角度を両目の間隔程度にずらして撮影した写真や画像、両目の間隔程度にずらして観察される画像を画像処理ソフト等によって描写して作成した画像、更に、前述のような両目の位置程度ずらして観察される画像に限らず、立体画像を視認できる程度の差異が形成された画像のことである。
【００６６】
（印刷材料）
低光沢で透明な材料としては、着色顔料を使用しない透明なマットニス、透明ワニス、透明マット調インキ、マットメジウムインキ、半透明着色インキ又は半透明着色ニスのいずれでもよい。これらのインキは、紫外線硬化型インキ、酸化重合型インキ、浸透型インキ、加熱乾燥インキ、蒸発乾燥インキ等のいずれの乾燥方式の印刷インキであってもよい。
【００６７】
（面積率）
本発明では、正反射条件による観察において、低光沢な透明材料を用いて形成される第２の画像（７ａ）は、周囲に対して反射光量が低くなることによって視認されるが、そのためには、第２の画像（７ａ）の面積率を５０〜１００％の範囲の中で形成すればよい。低光沢な透明材料で形成される第２の画像（７ａ）の面積率が高いほど第２の画像（７ａ）の視認性が増す結果となる。仮に、第２の背景が形成される場合、正反射条件による観察で第２の画像（７ａ）を視認しやすくするためには、第２の画像（７ａ）と第２の背景の面積率の差が５０％以上で形成されるのが好ましい。
【００６８】
本実施の形態では、第２の画像（７ａ）は単一の濃度の図柄であるが、第２の画像（７ａ）は階調画像であってもよい。第２の画像（７ａ）が階調画像である場合、例えば、中抜きの円形とした図柄の階調が連続的に変化する場合、第２の画像（７ａ）は、面積率５０〜１００％の範囲で連続的に面積率を変更して形成すればよい。第２の画像（７ａ）が階調画像で形成され、更に、第２の背景を設ける場合、第２の背景は、面積率１〜１００％の範囲の中で形成し、好ましくは単一の面積率で形成する。
【００６９】
（第１の画像と第２の画像の位置関係）
次に、本実施の形態の立体画像形成体（１）において、立体視を成立させるための第１の画像（３ａ）と第２の画像（７ａ）の位置関係について説明する。
【００７０】
図４に示すように、立体視するために第１の画像を構成する図柄の中心（４）を基準として、第２の画像（７ａ）は、第２の画像を構成する図柄の中心（８）を１〜６５ｍｍの範囲でずらし、かつ、第２の印刷層（５）上に形成される。本発明においては、立体視の対象となる第２の画像（７ａ）が第２の印刷層（５）上に形成される必要がある。なお、第１の画像を構成する図柄の中心（４）及び第２の画像を構成する図柄の中心（８）は、第１の画像（３ａ）と第２の画像（７ａ）の位置関係を説明するため、便宜上、図示しているが、実際の立体画像形成体（１）には形成されていない。第２の画像（７ａ）をずらす方向は、第１の画像を構成する図柄の中心（４）を基準として上側、下側、右側、左側又はその他の方向のどの方向にずらした配置としてもよい。仮に、第１の画像を構成する図柄と第２の画像を構成する図柄で同一な図柄の組合せを複数設けて形成する場合、第１の画像を構成する図柄に対して、同一の図柄で形成された第２の画像を構成する図柄の中心を、対応する同一の図柄で形成された第１の画像を構成する図柄の中心を基準として１〜６５ｍｍの範囲でずらして形成すればよい。
【００７１】
本実施の形態は、第１の画像を構成する図柄の中心（４）に対して、第２の画像を構成する図柄の中心（８）を左側に約３ｍｍずらした配置で形成している。なお、第１の画像を構成する図柄の中心とは、第１の画像を構成する図柄が左右上下対称の図柄であれば、その図柄の中心とし、仮に第１の画像を構成する図柄が左右上下対称でない場合、その図柄に外接して囲む矩形の中心とする。第２の画像を構成する図柄の中心についても、第１の画像を構成する図柄の中心と同様である。また、立体視する際の奥行き感を調整するには、第１の画像（３ａ）と第２の画像（７ａ）のずらし量を調整することで可能であり、所望する奥行き感に合わせて、ずらし量を１〜６５ｍｍの範囲で調整すればよい。なお、この上限値の６５ｍｍとは、人間の両目の距離であり、これ以上のずらし量を設定した場合には立体視が不可能となる数値で、好ましくは、４０ｍｍ以下に抑える。
【００７２】
また、第１の画像を構成する図柄と第２の画像を構成する図柄が、前述した略同一の図柄で形成される場合、第１の画像を構成する図柄の中心と第２の画像を構成する図柄の中心を合わせて形成してもよい。例えば、第１の画像を構成する図柄と第２の画像を構成する図柄が、カメラの撮影角度を両目の間隔程度ずらして撮影した画像から形成され、第１の画像と第２の画像の中心を合わせて形成される場合、第１の画像と第２の画像の撮影時に、撮影角度の違いが適切な範囲であれば、立体画像形成体を立体視して観察した場合、写真全体に自然に奥行き感が生じ、立体画像を視認することができ、左右方向の位相の違いを設計者が考慮する必要はない。
【００７３】
この写真の加工撮影方法については、余色立体法で一般的に用いられているものであり、公知の手法である。当然、第１の画像を構成する図柄と第２の画像を構成する図柄が略同一の図柄で形成された場合において、第１の画像を構成する図柄の中心と第２の画像を構成する図柄の中心を１〜６５ｍｍの範囲でずらして配置しても、第２の画像を構成する図柄が第２の印刷層上に形成すれば、立体画像を視認することができる。ただし、カメラで撮影した写真の画像データをそのまま第１の画像及び第２の画像とし、第１の画像の中心を基準として第２の画像の中心を１〜６５ｍｍずらして形成する場合、第２の画像が第２の印刷層上に形成されない部分が生じる。このような場合は、立体視の対象とする図柄等が第２の印刷層に収まるように撮影するか、第２の画像のずらす量を調整すればよく、また、前述の第２の画像が第２の印刷層上に形成されない部分は、基材上に形成しなくてもよい。
【００７４】
（観察条件）
次に、立体画像形成体（１）を観察したときの照明光源（９）、視点（１０）及び立体画像形成体（１）の三つの位置関係と視認される画像について図５〜７を用いて説明する。図５（ａ）は、図４に示す立体画像形成体（１）を観察したときの模式図である。
【００７５】
一般的に、照明光源からの入射角と物体からの反射角が同じであるときに正反射光が観察され、入射角と反射角が異なるときに拡散反射光が観察される。立体画像形成体（１）の観察条件を説明するため、図５（ａ）に示すように、基材（２）に対して第１の画像（３ａ）と第２の画像（７ａ）がずれている方向をＸ−Ｘ’軸とし、Ｘ軸と９０度の角度で交差する方向をＹ−Ｙ’軸とし、立体画像形成体（１）に対して鉛直方向をＺ−Ｚ’軸としている。また、Ｘ軸、Ｙ軸及びＺ軸が交わる点を原点（Ｐ）とし、原点（Ｐ）は、第１の画像の中心（４）と第２の画像の中心（８）の中間点としている。また、照明光源（９）の入射角は、原点（Ｐ）を中心として、照明光源（９）がＺ−Ｚ’軸と成す角度であり、視点（１０）の反射角は、原点（Ｐ）を中心として、視点（１０）がＺ−Ｚ’軸と成す角度である。
【００７６】
本発明の立体画像形成体（１）を観察するための最も好ましい観察条件は、照明光源（９）と視点（１０）がＸ−Ｘ’軸上に位置し、かつ、視点（１０）がＸ−Ｘ’軸上を移動して観察する場合であり、図５（ａ）は、その観察条件を示している。仮に、照明光源（９）及び／又は視点（１０）がＸ−Ｘ’軸上からＹ−Ｙ’軸方向へ少しずれていても立体画像として視認できるが、Ｙ−Ｙ’軸方向へずれるほど、立体視できる範囲が小さくなる。
【００７７】
図５（ａ）に示すように、照明光源（９）の入射角が４５度で、原点（Ｐ）から所定の距離だけ離れた位置から光を照射しているとすると、Ｚ−Ｚ’軸上に立体画像形成体（１）から所定の距離だけ離れた位置に視点（１０）があるとき、照明光源（９）の入射角が４５度に対して、視点（１０）の反射角が０度のため、拡散反射条件による画像が観察される。なお、このときの視点（１０）の位置を観察点（１１）とする。また、Ｚ−Ｚ’軸を基準として照明光源（９）と対象の位置の方向に、視点（１０）が位置し、かつ、視点（１０）の反射角が４５度で、原点（Ｐ）から所定の距離だけ離れた位置に視点（１０）があるときに正反射条件による画像が観察される。このときの視点（１０）の位置を観察点（１２）とする。そして、更に視点（１０）の反射角が大きくなると、照明光源（９）の入射角と視点（１０）の反射角が異なるため、拡散反射条件による画像が観察される。このときの視点の位置を観察点（１３）とする。
【００７８】
図５（ａ）では、立体画像形成体（１）の観察条件を立体的に示したが、平面的に示すと図５（ｂ）のようになる。そして、図５（ａ）で示す視点（１０）の位置を観察点（１１）から観察点（１３）に移動させるに従い、図５（ｂ）上では、視点（１０）がＸ’方向に移動していくこととなる。なお、本実施の形態の観察条件の説明では、視点（１０）がＸ−Ｘ’軸上を移動して立体画像形成体を観察しているが、実際に立体画像形成体を観察する場合、第１の画像と第２の画像をずらした方向に視点（１０）を移動させればよい。
【００７９】
（画像の視認原理）
図６は、立体画像形成体（１）の拡散反射条件による観察で視認される画像を示したものである。拡散反射条件による画像が視認される位置に左右の目があるとき、すなわち、視点（１０）が観察点（１１）及び観察点（１３）にあるとき、第１の画像（３ａ）と第１の背景（３ｂ）が視認される。
【００８０】
図７は、立体画像形成体（１）の正反射条件による観察で視認される画像を示したものである。正反射条件による画像が視認される位置に左右の目があるとき、すなわち、視点（１０）が観察点（１２）にあるとき、第１の画像（３ａ）は視認できないが、第２の画像（７ａ）は視認できる。
【００８１】
このように、本発明の立体画像形成体（１）は、拡散反射条件による観察と正反射条件による観察で視認される画像が変化するものである。
【００８２】
次に、本発明の立体画像形成体（１）において、拡散反射条件による観察と正反射条件による観察で、視認される画像が変化する原理について図８〜１１を用いて説明する。なお、この原理について説明するため、表１に示す水準でそれぞれのサンプルを作製した。表１において、水準１〜４は、第１の印刷層の面積率を変更した水準である。また、水準５〜８は、第１の印刷層の面積率を変更し、その上に第２の印刷層を設けた水準である。また、水準９〜１２は、第１の印刷層の面積率を変更し、その上に第２の印刷層を設け、更にその上に第３の印刷層を設けた水準である。なお、水準１〜１２は、第１の印刷層に、Ｋインキ「大日本インキ化学工業株式会社製  Dａｉ  cure  セプターDT  プロセス黒Ｎ」を用いている。また、水準１３は、第１の印刷層にＭインキ「大日本インキ化学工業株式会社製  Dａｉ  cure  セプターDT  プロセス紅」を用い、その上に第２の印刷層を設けた水準である。また、水準１４は、水準１３に対して、更にその上に第３の印刷層を設けた水準である。また、水準１５は、第１の印刷層にＣインキ「大日本インキ化学工業株式会社製  Dａｉ  cure  RT-8  藍」を用い、その上に第２の印刷層を設けた水準である。また、水準１６は、水準１５に対して、更にその上に第３の印刷層を設けた水準である。また、水準１７は、第１の印刷層にＹインキ「大日本インキ化学工業株式会社製  Dａｉ  cure  セプターDT  プロセス透明黄」を用い、その上に第２の印刷層を設けた水準である。また、水準１８は、水準１７に対して、更にその上に第３の印刷層を設けた水準である。第１の印刷層に用いたインキは、いずれも紫外線硬化型のインキである。また、サンプル作製に用いた基材は、キャストコート紙（日本製紙製  エスプリコートＦＭ）を用い、第２の印刷層を形成する高光沢な透明材料はグロスニス「大日本インキ化学工業株式会社製  New  Champion  ハイグロス  OPニス」を用い、第３の印刷層を形成する低光沢な透明材料はマットニス「T&K  TOKA社製  UVマット  OPニス  3H」を用いた。そして、作製したサンプルの色彩Ｌ*ａ*ｂ*を測定し色差ΔＥを求めた。測定は、変角分光測色システム（村上色彩技術研究所製  変角分光測色システムGCMS−４型）を用いた。
【００８３】
【表１】
0004977895.tif 000002
【００８４】
図８は、拡散反射条件となる測定の受光角度と、水準１に対する水準２〜１２のサンプルの色差ΔＥを示す図である。なお、色彩Ｌ*ａ*ｂ*の測定は、光源の入射角度を４５度に固定して受光角度を−１０〜０度までとした。図９は、正反射条件となる測定の受光角度と、水準５に対する水準６〜１２のサンプルの色差ΔＥを示す図である。なお、色彩Ｌ*ａ*ｂ*の測定は、光源の入射角度を４５度に固定して受光角度を４０〜５０度までとした。図１０は、正反射条件となる測定の受光角度と、水準５に対する水準９−１〜９−４のサンプルの色差ΔＥを示す図である。なお、色彩Ｌ*ａ*ｂ*の測定は、光源の入射角度を４５度に固定して受光角度を４０度から５０度とした。図１１は、正反射条件となる測定の受光角度と、水準１３に対する水準１４のサンプルの色差ΔＥ、水準１５に対する水準１６のサンプルの色差ΔＥ及び水準１７に対する水準１８のサンプルの色差ΔＥを示す図である。また、本明細書おいて、前述の光源の入射角度とは、図５（ａ）に示す照明光源（９）とＺ軸の成す角度と同様であり、受光角度は、図５（ａ）に示す視点（１０）とＺ軸の成す角度と同様とする。
【００８５】
（拡散反射条件による画像の視認原理）
拡散反射条件による画像の視認原理についてＫインキを用いた例で説明する。拡散反射条件による観察では、第１の画像（３ａ）のみが視認される。これは、拡散反射条件による観察では、Ｋインキが異なる面積率で印刷されたそれぞれの領域は、視覚的に面積率の高低差によるところの濃淡差が視認されるからである。実際に、図８に示すように、Ｋインキの面積率を１００％とした水準１に対して、Ｋインキの面積率を７５％とした水準２の色差ΔＥは２０程度、Ｋインキの面積率を５０％とした水準３の色差ΔＥは３６程度、Ｋインキの面積率を２５％とした水準４の色差ΔＥは５２程度であり、Ｋインキの面積率の高低差が色差ΔＥの値として表れていることが分かる。
【００８６】
一方、Ｋインキの上に高光沢で透明なグロスニスが印刷された領域と、更にその上に低光沢で透明なマットニスが印刷された領域は、インキ皮膜が透明であるため、下地の色と等色となるだけであり、高光沢な透明材料及び低光沢な透明材料が、Ｋインキが異なる面積率で印刷された領域の視認へ及ぼす影響は小さい。実際に、図８に示すように、Ｋインキが異なる面積率で印刷され、その上に高光沢で透明なグロスニスが印刷された水準５〜８のそれぞれは、Ｋインキの面積率の等しい水準１〜４のそれぞれに対して、同程度の色差の値となっている。
【００８７】
また、Ｋインキが異なる面積率で印刷され、その上に高光沢で透明なグロスニスが印刷され、更にその上に低光沢で透明なマットニスが印刷された水準９〜１２のそれぞれも、また、Ｋインキの面積率の等しい水準１〜４のそれぞれに対して同程度の色差の値となっている。このことから、拡散反射条件による観察では、高光沢な透明材料及び低光沢な透明材料は視認されず、基材と異なる色を有する有色インキの面積率の差を設けて形成された第１の画像（３ａ）と第１の背景（３ｂ）が視認される結果となる。なお、基材と異なる色を有する有色インキとしてＣ、Ｍ、Ｙのインキを用いた場合でも、Ｋインキを用いた場合と同様に、面積率の差を設けることによって濃淡差が視認される結果となる。
【００８８】
（正反射条件による画像の視認原理）
正反射条件による画像の視認原理についてＫインキを用いた例で説明する。正反射条件による観察では、第２の画像（７ａ）が視認される。詳細には、第１の画像（３ａ）と第１の背景（３ｂ）が視認できなくなり、第２の画像（７ａ）が視認される。これは、Ｋインキが異なる面積率で印刷され、更にその上に高光沢で透明なグロスニスが印刷されたそれぞれの領域では、Ｋインキの面積率の高低差が存在しているにもかかわらず、高光沢で透明なグロスニスの光沢によって観察者の視点に到達する反射光量が極端に大きくなるため、面積率の高低差によるところの濃淡差、すなわち、第１の画像（３ａ）を視認することが難しくなるためである。
【００８９】
一方、Ｋインキと高光沢の透明なグロスニスの上に低光沢で透明なマットニスが重ねて印刷された領域は、低光沢の透明なマットニス表面の凹凸によって反射光が拡散され、反射光量の差による濃淡差が生じ、この原理によって第２の画像（７ａ）が視認される。なお、透明インキ単体では、色がなく、視認することができないが、本実施の形態では、低光沢の透明なマットニスと高光沢の透明なグロスニスの下にＫインキの印刷層を形成しており、Ｋインキの反射光が低光沢の透明なマットニスによって拡散された結果、第２の画像（７ａ）の図柄が視認されるものである。
【００９０】
実際に、図９に示すように、Ｋインキが異なる面積率で印刷され、その上に高光沢の透明なグロスニスが印刷され、更にその上に低光沢で透明なマットニスが印刷された水準９〜１２のそれぞれは、Ｋインキが異なる面積率で印刷され、その上に高光沢の透明なグロスニスが印刷された水準５〜８に対して、色差ΔＥの値が大きくなっている。すなわち、低光沢の透明なマットニスの印刷の有無による濃淡差が色差ΔＥの値として表れている。
【００９１】
一方、水準６〜８の色差ΔＥは、１０〜４０程度あるが、水準９〜１２の色差ΔＥが大きく、視認性が強い。結果的に、正反射光による観察において、水準６〜８で印刷された領域は視認できなくなる。このことから、正反射条件による観察では、基材と異なる色を有するインキを異なる面積率で形成した第１の画像（３ａ）と第１の背景（３ｂ）は、視認されず、低光沢の透明なマットニスで形成された第２の画像（７ａ）が視認される結果となる。なお、低光沢の透明なマットニスの面積率の差を設けて形成された水準９−１〜９−４のサンプルは、図１０に示すように、低光沢の透明なマットニスの面積率の差によって色差ΔＥに差が生じていることから、正反射条件で観察するときの第２の画像の濃淡を表現することもできる。また、Ｋインキの代わりにＣＭＹインキをそれぞれ用いた場合でもＫインキを用いた場合と同様であり、図１１に示すように、低光沢の透明なマットニスが印刷された領域と低光沢で透明なマットニスが印刷されない領域で色差ΔＥの差が生じ、結果として第２の画像（７ａ）が視認されることとなる。
【００９２】
（立体視が可能な観察条件）
次に、立体視が行われる観察条件と立体視して視認される画像について、図１２及び図１３を用いて説明する。
【００９３】
立体画像形成体（１）を立体視して観察するには、図１２（ａ）に示すような位置を視点（１０）とする。図１２（ａ）では、照明光源（９）が入射角４５度で、原点（Ｐ）から所定の距離だけ離れた位置から光を照射しており、視点（１０）の右目が拡散反射条件による観察で第１の画像を視認し、視点（１０）の左目が正反射条件による観察で第２の画像を視認する位置にある。完全な正反射条件による画像を観察するには、反射角が４５度の位置に、視点（１０）の左目を位置させて観察する必要があるが、実際には反射光の拡散が生じるため、図１２（ａ）に示す角度（α）の範囲で正反射条件による画像を観察することができる。この角度（α）は、６度程度、すなわち、正反射条件による画像は、観察角度４５度±３度程度の範囲で観察できる。このとき、視点（１０）の右目では第１画像（３ａ）のみが視認され、視点（１０）の左目では第２の画像（７ａ）のみが視認される。このような視点（１０）の位置を観察点（１４）とする。この観察点（１４）では、両眼視差、すなわち、立体視でいう平行視が機能し、立体画像形成体（１）を立体視することができる。このとき、図１２（ｂ）に示すように、実際には第１の画像（３ａ）と第２の画像（７ａ）が基材の奥側に結像し、奥行き感のある立体画像（６Ａ）が見える。
【００９４】
本発明では、高光沢な透明材料による正反射光が狭い観察角度、すなわち、角度（α）でしか生じないことから、その上に形成される低光沢な透明材料による第２の画像（７ａ）が視認される観察角度も狭くなる。本発明では、この原理を利用することによって、一方の目が正反射条件による画像を視認し、他方の目が拡散反射条件による画像を視認する立体視の観察条件を成立しやすくさせている。
【００９５】
次に、視点（１０）が図１３（ａ）に示す位置にあるときも、立体画像形成体（１）を立体視して観察することができる。この場合、視点（１０）の右目では第２の画像（７ａ）のみが視認され、視点（１０）の左目では第１の画像（３ａ）のみが視認される。このような視点（１０）の位置を観察点（１５）とする。この観察点（１５）では、両目視差、すなわち、立体視でいう交差視が機能し、立体画像形成体（１）を立体視することができる。このとき、図１３（ｂ）に示すように、実際には第１の画像（３ａ）と第２の画像（７ａ）が基材の手前側に結像し、奥行き感のある立体画像（６Ｂ）が見える。
【００９６】
なお、本発明の立体画像形成体（１）を立体視するときの観察環境は、前述のような単一の照明光源（９）によって立体画像形成体（１）が照らされる場合に限るものではない。これ以外の観察条件、例えば、ごく少数の蛍光灯に照らされた環境、蛍光灯が多数存在する環境又は曇った日の屋外等においても容易に立体視が成立して観察することができる。さらに、立体視して観察するとき、第２の画像を視認するための観察条件は、照明光源（９）の入射角と視点（１０）の反射角が４５°に限るものではない。前述した蛍光灯で照らされる環境、屋外等で立体画像形成体（１）が照らされるとき、一方の目が正反射条件で観察し、他方の目が拡散反射条件で観察する位置に視点（１０）を位置させることで、立体視が成立して観察することができる。
【００９７】
なお、基材（２）は、オフセット印刷用、中質紙、白色用紙、上質紙に代表される非塗工紙、コート紙、アート紙に代表される塗工紙又はプラスチックカード等の印刷画像を担持できる平面を有していればよい。本発明は、正反射条件による観察において、異なる面積率で形成された第１の画像と第１の背景の上に形成された第２の印刷層の反射光が強くなることを利用しているため、表面の平滑性の高い基材を用いることが好ましい。
【００９８】
また、第１の印刷層（３）、第２の印刷層（５）及び第３の印刷層（７）の印刷方式は、ウェットオフセット印刷、ドライオフセット印刷、凸版印刷、水無平版印刷、グラビア印刷、フレキソ印刷、スクリーン印刷又は凹版印刷等の工程で印刷してもよい。また、レーザプリンタ、インキジェットプリンタ、昇華型プリンタ等で画像を形成してもよい。
【００９９】
また、立体画像形成体（１）の第１の画像（３ａ）及び第２の画像（７ａ）を構成する図柄は、文字、数字、記号、図形、模様等で形成されてもよい。
【０１００】
また、第１の画像（３ａ）及び第２の画像は、万線、波線及び破線で構成されてもよい。
【０１０１】
以下、実施例を用いて本発明を更に詳細に説明するが、本発明の内容は、これらの実施例の範囲に限定されるものではない。
【０１０２】
（実施例１）
実施例１は、立体視の対象となる図柄が立方体であり、低光沢な透明材料で形成した第２の画像を構成する図柄が、第１の画像を構成する図柄に対して、立体画像として視認できる程度の差異を設けて形成された立体画像形成体（３１）である。実施例１の立体画像形成体（３１）について、図１４〜１７を用いて説明する。
【０１０３】
図１４は、実施例１の立体画像形成体（３１）の第１の画像（３３ａ）及び第１の背景（３３ｂ）から成る第１の印刷層（３３）を示す図である。図１５は、実施例１の立体画像形成体（３１）の第２の印刷層（３５）を示す図である。図１６は、実施例１の立体画像形成体（３１）の第２の画像（３７ａ）から成る第３の印刷層（３７）を示す図である。図１７は、実施例１の立体画像形成体（３１）を示す図である。
【０１０４】
図１４に示す第１の画像（３３ａ）及び第１の背景（３３ｂ）から成る第１の印刷層（３３）は、基材（３２）に、紫外線硬化型のＫインキ（大日本インキ化学工業株式会社製  Dai  cure  セプターDT  プロセス黒N）を用いて、ウェットオフセット印刷方式で印刷した。このとき、第１の画像（３３ａ）を構成する図柄は、立方体とし、スクリーン線数２２０線、面積率６０％、第１の背景（３３ｂ）は、スクリーン線数２２０線、面積率３０％で形成した。なお、基材（３２）は、キャストコート紙（日本製紙社製  エスプリコートＦＭ）を用いた。なお、実施例１の立体画像形成体（３１）の第１の背景（３３ｂ）のサイズは、横３０ｍｍ×縦２０ｍｍである。
【０１０５】
図１５に示す第２の印刷層（３５）は、第１の印刷層（３３）の全面を覆うように高光沢な透明材料（大日本インキ化学工業株式会社製  New  Champion  ハイグロス  OPニス）を用いてウェットオフセット印刷方式で印刷した。この時、第２の印刷層は、スクリーン線数２２０線、面積率１００％で形成した。
【０１０６】
図１６に示す第２の画像（３７ａ）を構成する図柄は、立体画像として視認できる程度の差異を設けて形成された画像であり、具体的には、手前側の面が第１の画像（３３ａ）を構成する図柄の手前側の面と同一で、奥側の面は、第１の画像（３３ａ）の奥側の面に対して約２ｍｍ横方向にずれた画像である。そして、第２の画像（３７ａ）を、第２の印刷層（３５）の上に、低光沢な透明材料（T＆K  TOKA社製 UVマット  OPニス  3H）を用いてウェットオフセット印刷方式で印刷した。この時、第２の画像（３７ａ）は、スクリーン線数２２０線、面積率８０％で形成し、第２の画像（３７ａ）は、第２の画像（３７ａ）を構成する図柄の手前側の面が第１の画像（３３ａ）を構成する図柄の手前側の面と同一の位置で重なるように形成した。
【０１０７】
効果の確認のため、実施例１の立体画像形成体（３１）を確認した結果、立体視して観察する角度によって立方体の奥側の位置が変化し、あたかも立方体を上方から観察しているか、又は下方から観察しているかのように立体画像を視認することができた。
【０１０８】
（実施例２）
実施例２は、実施例１の立体画像形成体（３１）に対して、第１の背景（３３ｂ）を画線部と非画線部から成る万線の構成とした立体画像形成体である。実施例２の立体画像形成体について図１８〜２０を用いて説明する。なお、用いた基材、インキ及び透明材料については、実施例１と同様であるため説明を一部省略する。
【０１０９】
図１８は、実施例２の立体画像形成体（４１）の第１の画像（４３Ａ）及び第１の背景（４３Ｂ）を示す図である。図１９は、第１の背景（４３Ｂ）を構成する画線（４３ｂ１）を示す図である。図２０は、実施例２の立体画像形成体（４１）を示す図である。
【０１１０】
図１８に示す第１の画像（４３Ａ）及び第１の背景（４３Ｂ）から成る第１の印刷層（４３）は、基材（４２）に、Ｋインキを用いて、ウェットオフセット印刷方式で印刷した。このとき、第１の画像（４３Ａ）を構成する図柄を立方体とし、スクリーン線数２２０線、面積率４５％で形成し、その上に、第１の背景（４３Ｂ）を形成した。第１の背景（４３Ｂ）を構成する画線（４３ｂ１）は、図１９に示すように、ピッチ（Ｐ）０．３３ｍｍ、幅（Ｗ１）０．１ｍｍの画線で形成した。形成した第１の背景（４３Ｂ）は、目視上、面積率約３０％の網点で形成した背景と同等の濃度として観察することができる。そして、実施例１と同様に第２の印刷層（図示せず）と第２の画像（４７Ａ）を形成した。
【０１１１】
実施例２の立体画像形成体（４１）は、第１の背景（４３Ｂ）を所定の間隔の画線で形成しているが、正反射条件による観察において、第１の画像（４３Ａ）が視認できなくなり、第２の画像（４７Ａ）が視認され、立体視の観察条件で観察したとき立体画像を視認することができた。
【０１１２】
（実施例３）
実施例３は、第１の画像を構成する図柄及び第２の画像を構成する図柄の階調が連続的に変化する立体画像形成体である。また、第１の画像を構成する図柄と第２の画像を構成する図柄は、同一の被写体に対して撮影角度が異なる２枚の写真を処理して形成した立体画像形成体である。そこで、実施例３の立体画像形成体について図２１〜２４を用いて説明する。なお、用いた基材、インキ及び透明材料については、実施例１と同様であるため説明を一部省略する。
【０１１３】
図２１は、実施例３の立体画像形成体（５１）の第１の画像（５３ａ）及び第１の背景（５３ｂ）から成る第１の印刷層（５３）を示す図である。図２２は、実施例３の立体画像形成体（５１）の第２の印刷層（５５）を示す図である。図２３は、実施例３の立体画像形成体（５１）の第２の画像（５７ａ）を示す図である。図２４は、実施例３の立体画像形成体（５１）を示す図である。
【０１１４】
図２１に示す実施例３の立体画像形成体（５１）の第１の画像（５３ａ）を構成する図柄を作成するため、まず、立体物の写真をデジタルカメラで撮影した。実施例３では、立体物として鳳凰像の写真を撮影し、撮影した写真から鳳凰像をトリミングした。撮影した写真の画像データは、必要に応じて輪郭強調処理や階調調整を行うことができる。輪郭強調処理は、撮影した画像と背景の濃度差が少ない場合に第１の画像の輪郭を視認しやすくするための処理である。階調調整は、撮影した画像の階調の範囲が小さい場合に階調の範囲を大きくして、撮影した画像の階調の変化を視認しやすくするための処理又は撮影した画像の階調の範囲が広い場合に階調の範囲を狭くするための処理である。後者の階調の範囲を狭くする処理は、前述のように、第１の画像を形成する印刷材料によって正反射条件による観察で、第１の画像を視認させなくするための面積率の範囲に制限があるためである。
【０１１５】
実施例３では、トリミングした鳳凰像の画像データを階調調整してグレースケールにて処理し、第１の画像（５３ａ）を構成する図柄とした。階調調整は、画像処理ソフトを用いて鳳凰像の画像データの最低濃度を面積率５０％とし、画像データの最高濃度を面積率７５％となるように階調調整を行った。そして、図２１に示すように、基材（５２）に第１の画像（５３ａ）をＫインキを用いて、ウェットオフセット印刷方式により、スクリーン線数２２０線、第１の画像（５３ａ）の最低濃度の面積率を５０％、第１の画像（５３ａ）の最高濃度の面積率を７５％とし、第１の画像（５３ａ）内で連続的に面積率を変更して鳳凰像の図柄を印刷した。また、第１の背景（５３ｂ）は、スクリーン線数２２０線、面積率５０％で印刷した。なお、実施例３の立体画像形成体（５１）の第１の背景（５３ｂ）のサイズは、横１００ｍｍ×縦１２０ｍｍである。
【０１１６】
図２２に示す第２の印刷層（５５）は、実施例１と同様に高光沢な透明材料を用いてスクリーン線数２２０線、面積率１００％で形成した。
【０１１７】
図２３に示す実施例３の立体画像形成体（５１）の第２の画像（５７ａ）を構成する図柄には、第１の画像（５３ａ）を構成する図柄の撮影に対して、撮影角度を３度程度変えて撮影した写真を用いた。そして、撮影した写真の画像データを、画像処理ソフトを用いて鳳凰像をトリミングし、階調調整を行った。階調調整は、鳳凰像の最低濃度を面積率５０％とし、最高濃度の面積率を１００％に調整してグレースケールにて処理し、第２の画像（５７ａ）を構成する図柄とした。そして、第２の印刷層（５５）の上に、第２の画像（５７ａ）を低光沢な透明材料を用いてウェットオフセット印刷方式により、スクリーン線数２２０線、第２の画像（５７ａ）の最低濃度の面積率を５０％、第２の画像（５７ａ）の最高濃度の面積率を１００％とし、第２の画像（５７ａ）内で連続的に面積率を変更して印刷した。なお、第２の画像（５７ａ）の配置については、第１の画像を構成する図柄の中心（５４）と第２の画像を構成する図柄の中心（５８）が重なる状態で形成した。
【０１１８】
効果の確認のため実施例３の立体画像形成体（５１）を確認した結果、階調を有する鳳凰像を立体視することができた。
【０１１９】
（実施例４）
実施例４は、第１の画像及び第２の画像の階調が連続的に変化する立体画像形成体であり、第１の画像と第２の画像が、撮影角度の異なる３次元の景色の写真を処理して形成した立体画像形成体である。また、実施例１〜３が第１の画像のみを立体視の対象とするのに対して、実施例４の立体画像形成体は、第１の画像全体を立体視の対象とするものである。実施例４の立体画像形成体について図２５〜２８を用いて説明する。なお、用いた基材、インキ及び透明材料については実施例１と同様であるため説明を一部省略する。
【０１２０】
図２５は、実施例４の立体画像形成体（６１）の第１の画像（６３ａ）から成る第１の印刷層（６３）を示す図である。図２６は、実施例４の立体画像形成体（６１）の第２の印刷層（６５）を示す図である。図２７は、実施例４の立体画像形成体（６１）の第２の画像（６７ａ）から成る第３の印刷層（６７）を示す図である。図２８は、実施例４の立体画像形成体（６１）を示す図である。
【０１２１】
図２５に示す実施例４の立体画像形成体（６１）の第１の画像（６３ａ）を構成する図柄を作成するため、まず、３次元の景色の写真をデジカメで撮影した。実施例４では、３次元の景色として廊下の写真を撮影し、撮影した写真の画像データを階調調整してグレースケール処理し、第１の画像（６３ａ）を構成する図柄とした。階調調整は、画像処理ソフトを用いて撮影した写真の画像データの最低濃度を面積率４０％とし、画像データの最高濃度を面積率７０％となるように階調調整を行った。そして、図２５に示すように、基材（６２）に第１の画像（６３ａ）をＫインキを用いて、ウェットオフセット印刷方式により、スクリーン線数２２０線、第１の画像（６３ａ）の最低濃度の面積率を４０％、第１の画像（６３ａ）の最高濃度の面積率を７０％とし、第１の画像（６３ａ）内で連続的に面積率を変更して印刷した。なお、実施例４の立体画像形成体（６１）の第１の画像（６３ａ）のサイズは、横１２０ｍｍ×縦１００ｍｍである。
【０１２２】
図２６に示す第２の印刷層（６５）は、実施例１と同様に高光沢な透明材料を用いて、スクリーン線数２２０線、面積率１００％で形成した。
【０１２３】
図２７に示す実施例４の立体画像形成体（６１）の第２の画像（６７ａ）を構成する図柄には、第１の画像（６３ａ）を構成する図柄の撮影に対して、撮影角度を３度程度変えて撮影した写真を用いた。そして、画像処理ソフトを用いて撮影した写真の画像データの階調調整を行った。階調調整は、撮影した画像データの最低濃度を面積率５０％とし、最高濃度の面積率を１００％に調整してグレースケールにて処理し、第２の画像（６７ａ）を構成する図柄とした。そして、第２の印刷層（６５）の上に第２の画像（６７ａ）を低光沢な透明材料を用いてウェットオフセット印刷方式により、スクリーン線数２２０線、第２の画像（６７ａ）の最低濃度の面積率を５０％、第２の画像（６７ａ）の最高濃度の面積率を１００％とし、第２の画像（６７ａ）内で連続的に面積率を変更して印刷した。なお、第２の画像（６７ａ）の配置については、第１の画像を構成する図柄の中心（６４）と第２の画像を構成する図柄の中心（６８）が重なる状態で形成した。
【０１２４】
効果の確認のため実施例４の立体画像形成体（６１）を確認した結果、第１の画像（６３ａ）全体で立体画像を観察することができた。
【０１２５】
（実施例５）
実施例５は、第１の印刷層がＣ、Ｍ、Ｙ、Ｋのインキの混色で形成される立体画像形成体である。なお、実施例５の第１の画像を構成する図柄及び第２の画像を構成する図柄は、実施例３で用いた画像と同様である。実施例５の立体画像形成体について図２９〜３３を用いて説明する。なお、実施例５の立体画像形成体は、実施例３に対して、第１の印刷層を形成する処理は異なるが、その他の構成は、同様であるため説明を省略する。
【０１２６】
図２９は、実施例５の立体画像形成体（７１）における第１の画像（７３ａ）及び第１の背景（７３ｂ）から成る第１の印刷層（７３）を示す図である。図３０は、第１の画像（７３ａ）を印刷するためのシアン版（Ｃ）を示す図である。図３１は、第１の画像（７３ａ）を印刷するためのマゼンタ（Ｍ）版を示す図である。図３２は、第１の画像（７３ａ）を印刷するためのイエロー版（Ｙ）を示す図である。図３３は、第１の画像（７３ａ）を印刷するためのブラック版（Ｂｋ）を示す図である。
【０１２７】
図３０〜３３に示すシアン版（Ｃ）、マゼンタ版（Ｍ）、イエロー版（Ｙ）、ブラック版（Ｂｋ）は、撮影した鳳凰像の写真の画像データから鳳凰像をトリミングし、最低濃度を面積率２０％、最高濃度の面積率を８０％に階調調整し、カラープロセス分解処理し、分解されたシアン、マゼンタ、イエロー、ブラックの画像データから作製した。なお、第１の背景（７３ｂ）は各版面ともに面積率を８０％とした。
【０１２８】
そして、作製したそれぞれの版面に、紫外線硬化型のＣインキ（大日本インキ化学工業株式会社製  Dai  cure  RT-8  藍）、Ｍインキ（大日本インキ化学工業株式会社製  Dai  cure  セプターDT  プロセス紅）、Ｙインキ（大日本インキ化学工業株式会社製  Dai  cure  セプターDT  プロセス透明黄）及びＫインキ（大日本インキ化学工業株式会社製  Dai  cure  セプターDT  プロセス黒N）を用いて基材（７２）に第１の画像（７３ａ）を印刷した。なお、印刷は、ウェットオフセット印刷方式により、スクリーン線数２２０線、第１の画像（７３ａ）の最低濃度の面積率を２０％、第１の画像（７３ａ）の最高濃度の面積率を８０％とし、第１の画像（７３ａ）内で連続的に面積率を変更して形成した。また、第１の背景（７３ｂ）は、スクリーン線数２２０線、面積率８０％で形成した。
【０１２９】
効果の確認のため、実施例５の立体画像形成体を確認した結果、ＣＭＹＫインキが混色したカラーの階調を有する鳳凰像を立体視することができた。
【０１３０】
（実施例６）
実施例６は、第１の印刷層が基材と異なる色を有する光輝性材料で形成される立体画像形成体である。なお、実施例６の第１の画像及び第２の画像は、実施例１で用いた画像と同様である。実施例６で用いた基材、透明材料及び印刷層の構成は、実施例１と同様であるため説明を省略する。
【０１３１】
実施例６の立体画像形成体の第１の画像及び第１の背景は、基材に、基材と異なる色を有する光輝性材料「大日本インキ化学工業株式会社製  New  Champion  ゴールド（青口）」を用いて、ウェットオフセット印刷方式により、第１の画像を、スクリーン線数２２０線、面積率９０％、第１の背景を、スクリーン線数２２０線、面積率２０％で印刷した。前述のように、第１の印刷層を基材と異なる色を有する光輝性材料で形成する場合、第１の画像と第１の背景の面積率の差を７０％程度の範囲内で形成することができる。
【０１３２】
効果の確認のため、実施例６の立体画像形成体を確認した結果、実施例１と同様に立体画像を立体視することができた。
【図面の簡単な説明】
【０１３３】
【図１】本発明の実施の形態における立体画像形成体の第１の画像を示す図である。
【図２】本発明の一つの実施の形態における立体画像形成体の第２の印刷層を示す図である。
【図３】本発明の一つの実施の形態における立体画像形成体の第２の画像を示す図である。
【図４】本発明の一つの実施の形態における立体画像形成体を示す図である。
【図５】本発明の立体画像形成体の代表的な観察角度及び方向を示す図である。
【図６】本発明の一つの実施の形態における立体画像形成体を、拡散反射条件で観察した場合に視認される画像を示す図である。
【図７】本発明の一つの実施の形態における立体画像形成体を、正反射条件で観察した場合に視認される画像を示す図である。
【図８】拡散反射条件で観察される場合の色差ΔＥを示す図である。
【図９】正反射条件で観察される場合の色差ΔＥを示す図である。
【図１０】正反射条件で観察される場合の色差ΔＥを示す図である。
【図１１】正反射条件で観察される場合の色差ΔＥを示す図である。
【図１２】立体視が行われる観察条件及び立体画像を示す図である。
【図１３】図１２とは別の立体視が行われる観察条件及び立体画像を示す図である。
【図１４】本発明の実施例１における立体画像形成体の第１の画像を示す図である。
【図１５】本発明の実施例１における立体画像形成体の第２の印刷層を示す図である。
【図１６】本発明の実施例１における立体画像形成体の第２の画像を示す図である。
【図１７】本発明の実施例１における立体画像形成体を示す図である。
【図１８】本発明の実施例２における立体画像形成体の第１の画像を示す図である。
【図１９】本発明の実施例２における立体画像形成体の第１の背景を構成する画線を示す図である。
【図２０】本発明の実施例２における立体画像形成体を示す図である。
【図２１】本発明の実施例３における立体画像形成体の第１の画像を示す図である。
【図２２】本発明の実施例３における立体画像形成体の第２の印刷層を示す図である。
【図２３】本発明の実施例３における立体画像形成体の第２の画像を示す図である。
【図２４】本発明の実施例３における立体画像形成体を示す図である。
【図２５】本発明の実施例４における立体画像形成体の第１の画像を示す図である。
【図２６】本発明の実施例４における立体画像形成体の第２の印刷層を示す図である。
【図２７】本発明の実施例４における立体画像形成体の第２の画像を示す図である。
【図２８】本発明の実施例４における立体画像形成体を示す図である。
【図２９】本発明の実施例５における立体画像形成体の第１の画像を示す図である。
【図３０】実施例５の立体画像形成体の第１の画像を印刷するためのシアン版を示す図である。
【図３１】実施例５の立体画像形成体の第１の画像を印刷するためのマゼンタ版を示す図である。
【図３２】実施例５の立体画像形成体の第１の画像を印刷するためのイエロー版を示す図である。
【図３３】実施例５の立体画像形成体の第１の画像を印刷するためのブラック版を示す図である。
【符号の説明】
【０１３４】
１      立体画像形成体（実施の形態１）
２      基材
３      第１の印刷層
３ａ    第１の画像
３ｂ    第１の背景
４      第１の画像を構成する図柄の中心
５      第２の印刷層
７      第３の印刷層
７ａ    第２の画像
６Ａ、６Ｂ  立体画像
８      第２の画像を構成する図柄の中心
９      照明光源
１０    視点
１１    観察点
１２    観察点
１３    観察点
１４    観察点
１５    観察点
３１    立体画像形成体（実施例１）
３２    基材
３３    第１の印刷層
３３ａ  第１の画像
３３ｂ  第１の背景
３７、３７ａ  第２の画像
４１    立体画像形成体（実施例２）
４２    基材
４３    第１の印刷層
４３Ａ  第１の画像
４３Ｂ  第１の背景
４３ｂ１  画線
４７、４７Ａ  第２の画像
５１    立体画像形成体（実施例３）
５２    基材
５３    第１の印刷層
５３ａ  第１の画像
５３ｂ  第１の背景
５４    第１の画像を構成する図柄の中心
５５    第２の印刷層
５７    第３の印刷層
５７ａ  第２の画像
５８    第２の画像を構成する図柄の中心
６１    立体画像形成体（実施例４）
６２    基材
６３    第１の印刷層
６３ａ  第１の画像
６３ｂ  第１の背景
６４    第１の画像を構成する図柄の中心
６５    第２の印刷層
６７    第３の印刷層
６７ａ  第２の画像
６８    第２の画像を構成する図柄の中心
７１    立体画像形成体（実施例５）
７２    基材
７３    第１の印刷層
７３ａ  第１の画像
７３ｂ  第１の背景
Ｈ      最も明るい画像
Ｌ      最も暗い画像
Ｃ      シアン版
Ｍ      マゼンタ版
Ｙ      イエロー版
Ｂｋ    ブラック版
α      角度
Ｐ      ピッチ
Ｗ１    幅
【図１】
0004977895.tif 000003
【図２】
0004977895.tif 000004
【図３】
0004977895.tif 000005
【図４】
0004977895.tif 000006
【図５】
0004977895.tif 000007
【図６】
0004977895.tif 000008
【図７】
0004977895.tif 000009
【図８】
0004977895.tif 000010
【図９】
0004977895.tif 000011
【図１０】
0004977895.tif 000012
【図１１】
0004977895.tif 000013
【図１２】
0004977895.tif 000014
【図１３】
0004977895.tif 000015
【図１４】
0004977895.tif 000016
【図１５】
0004977895.tif 000017
【図１６】
0004977895.tif 000018
【図１７】
0004977895.tif 000019
【図１８】
0004977895.tif 000020
【図１９】
0004977895.tif 000021
【図２０】
0004977895.tif 000022
【図２１】
0004977895.tif 000023
【図２２】
0004977895.tif 000024
【図２３】
0004977895.tif 000025
【図２４】
0004977895.tif 000026
【図２５】
0004977895.tif 000027
【図２６】
0004977895.tif 000028
【図２７】
0004977895.tif 000029
【図２８】
0004977895.tif 000030
【図２９】
0004977895.tif 000031
【図３０】
0004977895.tif 000032
【図３１】
0004977895.tif 000033
【図３２】
0004977895.tif 000034
【図３３】
0004977895.tif 000035